(57)【要約】  本願はコンテキスト解放方法、機器及びシステムを提供し、通信技術応用分野に関し、前記方法は、端末は、前記端末の関連コンテキストの解放を行うようにネットワーク側に指示するためのコンテキスト解放要求を第１基地局に送信することを含む。本発明は従来のコンテキスト解放プロセスが複雑であるという問題を解決し、端末とネットワーク側とのシグナリング交換を効果的に減少させることができ、シグナリングオーバーヘッドを減少させ、全体的なプロセスを簡素化する。本願は移動通信システムにおけるコンテキストの解放に用いられる。
2020504956.tif 000002
【特許請求の範囲】
【請求項１】
コンテキスト解放方法であって、
端末は、前記端末の関連コンテキストの解放を行うようにネットワーク側に指示するためのコンテキスト解放要求を第１基地局に送信することを含むことを特徴とする、前記コンテキスト解放方法。
【請求項２】
前記端末が第１基地局へコンテキスト解放要求を送信した後、前記方法は、更に、
前記端末は、前記第１基地局から送信されたコンテキスト解放応答を受信することを含むことを特徴とする
請求項１に記載の方法。
【請求項３】
前記端末が第１基地局へコンテキスト解放要求を送信する前に、前記方法は、更に、
前記端末のアプリケーション層又は非アクセス層は、前記端末が非アクティブ状態からアイドル状態に切り替える必要があることを確定することを含むことを特徴とする
請求項１に記載の方法。
【請求項４】
前記端末が第１基地局へコンテキスト解放要求を送信することは、
前記端末は、アクセス層によって第１基地局へ前記コンテキスト解放要求を送信することを含むことを特徴とする
請求項１に記載の方法。
【請求項５】
前記コンテキスト解放要求は、解放指示を含む無線リソース制御（ＲＲＣ）接続確立要求であり、又は、前記コンテキスト解放要求は、解放指示を含むＲＲＣ接続復元要求であり、又は、前記コンテキスト解放要求は、解放指示を含むＲＲＣ接続確立完了メッセージであり、又は、前記コンテキスト解放要求は、解放指示を含むＲＲＣ接続復元完了要求であり、
前記解放指示は、前記端末の関連コンテキストの解放を行うようにネットワーク側に指示することに用いられることを特徴とする
請求項１〜４のいずれか１項に記載の方法。
【請求項６】
コンテキスト解放方法であって、
第１基地局は、端末から送信された、前記端末の関連コンテキストの解放を行うようにネットワーク側に指示するためのコンテキスト解放要求を受信することを含むことを特徴とする、前記コンテキスト解放方法。
【請求項７】
前記第１基地局が端末から送信されたコンテキスト解放要求を受信した後、前記方法は、更に、
前記第１基地局は、前記コンテキスト解放要求に応じて前記関連コンテキストの保存されるネットワーク側機器が前記関連コンテキストを解放するようにトリガーすることと、
前記第１基地局は、前記端末が前記関連コンテキストを解放するようにトリガーするためのコンテキスト解放応答を前記端末に送信することと、を含むことを特徴とする
請求項６に記載の方法。
【請求項８】
前記第１基地局が、前記コンテキスト解放要求に応じて前記関連コンテキストの保存されるネットワーク側機器が前記関連コンテキストを解放するようにトリガーすることは、
前記第１基地局は、前記コンテキスト解放要求に応じて、前記関連コンテキストの解放を行うように前記ネットワーク側機器に指示するためのコンテキスト解放指示情報を前記ネットワーク側機器に送信することを含み、
前記第１基地局が前記端末へコンテキスト解放応答を送信することは、
前記第１基地局は、前記ネットワーク側機器から送信された、前記ネットワーク側機器が前記関連コンテキストの解放を完了したことを示すためのコンテキスト解放完了情報を受信することと、
前記第１基地局は、前記コンテキスト解放完了情報に基づいて前記端末へコンテキスト解放応答を送信することと、を含むことを特徴とする
請求項７に記載の方法。
【請求項９】
前記第１基地局が前記コンテキスト解放要求に応じて前記関連コンテキストの保存されるネットワーク側機器が前記関連コンテキストを解放するようにトリガーすることは、
前記第１基地局は、前記コンテキスト解放要求に応じて、前記ネットワーク側機器が前記関連コンテキストの解放を行う許可を要求するためのコンテキスト解放許可要求をコア管理機器に送信することを含み、
前記第１基地局が前記端末へコンテキスト解放応答を送信することは、
前記第１基地局は、前記コア管理機器から送信された、前記ネットワーク側機器が前記関連コンテキストを解放するようにトリガーした後に前記コア管理機器が送信したコンテキスト解放完了情報であって、前記ネットワーク側機器が前記関連コンテキストの解放を完了したことを示すためのコンテキスト解放完了情報を受信することと、
前記第１基地局は、前記コンテキスト解放完了情報に基づいて前記端末へコンテキスト解放応答を送信することと、を含むことを特徴とする
請求項７に記載の方法。
【請求項１０】
前記第１基地局が前記コンテキスト解放要求に応じて前記関連コンテキストの保存されるネットワーク側機器が前記関連コンテキストを解放するようにトリガーすることは、
前記第１基地局は、前記コンテキスト解放要求に応じて、前記ネットワーク側機器が前記関連コンテキストの解放を行う許可を要求するためのコンテキスト解放許可要求をコア管理機器に送信することと、
前記第１基地局は、前記コア管理機器から送信された、前記ネットワーク側機器が前記関連コンテキストの解放を行うことを許容することを示すためのコンテキスト解放許可応答を受信することと、
前記第１基地局が前記コンテキスト解放許可応答に応じて、前記関連コンテキストの解放を行うように前記ネットワーク側機器に指示するためのコンテキスト解放指示情報を前記ネットワーク側機器に送信することと、を含み、
前記第１基地局が前記端末へコンテキスト解放応答を送信することは、
前記第１基地局が前記ネットワーク側機器から送信された、前記ネットワーク側機器が前記関連コンテキストの解放を完了したことを示すためのコンテキスト解放完了情報を受信することと、
前記第１基地局が前記コンテキスト解放完了情報に基づいて前記端末へコンテキスト解放応答を送信することと、を含むことを特徴とする
請求項７に記載の方法。
【請求項１１】
前記コンテキスト解放要求は、解放指示を含む無線リソース制御（ＲＲＣ）接続確立要求であり、又は、前記コンテキスト解放要求は、解放指示を含むＲＲＣ接続復元要求であり、又は、前記コンテキスト解放要求は、解放指示を含むＲＲＣ接続確立完了メッセージであり、又は、前記コンテキスト解放要求は、解放指示を含むＲＲＣ接続復元完了要求であり、
前記解放指示は前記端末の関連コンテキストの解放を行うようにネットワーク側に指示することに用いられることを特徴とする
請求項６〜１０のいずれか１項に記載の方法。
【請求項１２】
前記コンテキスト解放要求は、前記第１基地局にアクセスする端末が、前記端末が非アクティブ状態からアイドル状態に切り替える必要があることを確定した後に送信されることを特徴とする
請求項６〜１０のいずれか１項に記載の方法。
【請求項１３】
前記ネットワーク側機器は初期基地局、及び／又は、コアネットワークの管理機器、及び／又は、ネットワーク側中央制御ノードを備え、
前記初期基地局は前記端末が非アクティブ状態に切り替える前に所在するセルに属する基地局であることを特徴とする
請求項７〜１０のいずれか１項に記載の方法。
【請求項１４】
コンテキスト解放方法であって、
コア管理機器は、第１基地局から送信された、前記第１基地局が端末から送信されたコンテキスト解放要求を受信した後に送信したコンテキスト解放許可要求であって、前記端末の関連コンテキストの解放を行うようにネットワーク側に指示するためのコンテキスト解放許可要求を受信することを含むことを特徴とする、前記コンテキスト解放方法。
【請求項１５】
前記コア管理機器が第１基地局から送信されたコンテキスト解放許可要求を受信した後、前記方法は、更に、
前記コア管理機器は、前記コンテキスト解放許可要求に応じて、前記関連コンテキストの保存されるネットワーク側機器が前記関連コンテキストを解放するようにトリガーすることと、
前記コア管理機器は、前記ネットワーク側機器が前記関連コンテキストを解放した後、前記ネットワーク側機器が前記関連コンテキストの解放を完了したことを示すためのコンテキスト解放完了情報を前記第１基地局に送信することと、を含むことを特徴とする
請求項１４に記載の方法。
【請求項１６】
前記コア管理機器が前記コンテキスト解放許可要求に応じて、前記関連コンテキストの保存されるネットワーク側機器が前記関連コンテキストを解放するようにトリガーすることは、
前記コア管理機器は、前記コンテキスト解放許可要求に応じて、前記関連コンテキストの解放を行うように前記ネットワーク側機器に指示するためのコンテキスト解放指示情報を前記ネットワーク側機器に送信することを含み、
前記コア管理機器が、前記ネットワーク側機器が前記関連コンテキストを解放した後、前記第１基地局へコンテキスト解放完了情報を送信することは、
前記コア管理機器が前記ネットワーク側機器から送信された、前記ネットワーク側機器が前記関連コンテキストの解放を完了したことを示すためのコンテキスト解放完了情報を受信することと、
前記コア管理機器が前記コンテキスト解放完了情報に基づいて前記第１基地局へコンテキスト解放完了情報を送信することと、を含むことを特徴とする
請求項１５に記載の方法。
【請求項１７】
前記コア管理機器が第１基地局から送信されたコンテキスト解放許可要求を受信した後、前記方法は、更に、
前記コア管理機器が前記コンテキスト解放許可要求に応じて、前記関連コンテキストの保存されるネットワーク側機器が前記関連コンテキストの解放を行うことを許容することを示すためのコンテキスト解放許可応答を生成することと、
前記コア管理機器が前記第１基地局へ前記コンテキスト解放許可応答を送信することと、を含むことを特徴とする
請求項１４に記載の方法。
【請求項１８】
前記コンテキスト解放要求は、前記第１基地局により管理されるセル内の端末が非アクティブ状態からアイドル状態に切り替える必要があることを確定した後に送信されることを特徴とする
請求項１４〜１７のいずれか１項に記載の方法。
【請求項１９】
前記ネットワーク側機器は初期基地局、及び／又は、コアネットワークの管理機器、及び／又は、ネットワーク側中央制御ノードを備え、
前記初期基地局は前記端末が非アクティブ状態に切り替える前に所在するセルに属する基地局であることを特徴とする
請求項１５〜１７のいずれか１項に記載の方法。
【請求項２０】
コンテキスト解放機器であって、
前記端末の関連コンテキストの解放を行うようにネットワーク側に指示するためのコンテキスト解放要求を第１基地局に送信するための送信モジュールを備えることを特徴とする、前記コンテキスト解放機器。
【請求項２１】
前記機器は、更に、
前記第１基地局から送信されたコンテキスト解放応答を受信するための受信モジュールを備えることを特徴とする
請求項２０に記載の機器。
【請求項２２】
前記機器は、更に、
アプリケーション層又は非アクセス層によって前記端末が非アクティブ状態からアイドル状態に切り替える必要があることを確定するための確定モジュールを備えることを特徴とする
請求項２０に記載の機器。
【請求項２３】
前記送信モジュールは、具体的に、
アクセス層によって第１基地局へ前記コンテキスト解放要求を送信することに用いられることを特徴とする
請求項２０に記載の機器。
【請求項２４】
前記コンテキスト解放要求は、解放指示を含む無線リソース制御（ＲＲＣ）接続確立要求であり、又は、前記コンテキスト解放要求は、解放指示を含むＲＲＣ接続復元要求であり、又は、前記コンテキスト解放要求は、解放指示を含むＲＲＣ接続確立完了メッセージであり、又は、前記コンテキスト解放要求は、解放指示を含むＲＲＣ接続復元完了要求であり、
前記解放指示は、前記端末の関連コンテキストの解放を行うようにネットワーク側に指示することに用いられることを特徴とする
請求項２０〜２３のいずれか１項に記載の機器。
【請求項２５】
コンテキスト解放機器であって、
端末から送信された、前記端末の関連コンテキストの解放を行うようにネットワーク側に指示するためのコンテキスト解放要求を受信するための受信モジュールを備えることを特徴とする、前記コンテキスト解放機器。
【請求項２６】
前記機器は、更に、
前記コンテキスト解放要求に応じて前記関連コンテキストの保存されるネットワーク側機器が前記関連コンテキストを解放するようにトリガーするためのトリガーモジュールと、
前記端末が前記関連コンテキストを解放するようにトリガーするためのコンテキスト解放応答を前記端末に送信するための送信モジュールと、を備えることを特徴とする
請求項２５に記載の機器。
【請求項２７】
トリガーモジュールは、具体的に、
前記コンテキスト解放要求に応じて、前記関連コンテキストの解放を行うように前記ネットワーク側機器に指示するためのコンテキスト解放指示情報を前記ネットワーク側機器に送信することに用いられ、
送信モジュールは、具体的に、
前記ネットワーク側機器から送信された、前記ネットワーク側機器が前記関連コンテキストの解放を完了したことを示すためのコンテキスト解放完了情報を受信し、
前記コンテキスト解放完了情報に基づいて前記端末へコンテキスト解放応答を送信することに用いられることを特徴とする
請求項２６に記載の機器。
【請求項２８】
トリガーモジュールは、具体的に、
前記コンテキスト解放要求に応じて、前記ネットワーク側機器が前記関連コンテキストの解放を行う許可を要求するためのコンテキスト解放許可要求をコア管理機器に送信することに用いられ、
送信モジュールは、具体的に、
前記コア管理機器から送信された、前記ネットワーク側機器が前記関連コンテキストを解放するようにトリガーした後に前記コア管理機器が送信したコンテキスト解放完了情報であって、前記ネットワーク側機器が前記関連コンテキストの解放を完了したことを示すためのコンテキスト解放完了情報を受信し、
前記コンテキスト解放完了情報に基づいて前記端末へコンテキスト解放応答を送信することに用いられることを特徴とする
請求項２６に記載の機器。
【請求項２９】
トリガーモジュールは、具体的に、
前記コンテキスト解放要求に応じて、前記ネットワーク側機器が前記関連コンテキストの解放を行う許可を要求するためのコンテキスト解放許可要求をコア管理機器に送信し、
前記コア管理機器から送信された、前記ネットワーク側機器が前記関連コンテキストの解放を行うことを許容することを示すためのコンテキスト解放許可応答を受信し、
前記コンテキスト解放許可応答に応じて、前記関連コンテキストの解放を行うように前記ネットワーク側機器に指示するためのコンテキスト解放指示情報を前記ネットワーク側機器に送信することに用いられ、
送信モジュールは、具体的に、
前記ネットワーク側機器から送信された、前記ネットワーク側機器が前記関連コンテキストの解放を完了したことを示すためのコンテキスト解放完了情報を受信し、
前記コンテキスト解放完了情報に基づいて前記端末へコンテキスト解放応答を送信することに用いられることを特徴とする
請求項２６に記載の機器。
【請求項３０】
前記コンテキスト解放要求は、解放指示を含む無線リソース制御（ＲＲＣ）接続確立要求であり、又は、前記コンテキスト解放要求は、解放指示を含むＲＲＣ接続復元要求であり、又は、前記コンテキスト解放要求は、解放指示を含むＲＲＣ接続確立完了メッセージであり、又は、前記コンテキスト解放要求は、解放指示を含むＲＲＣ接続復元完了要求であり、
前記解放指示は前記端末の関連コンテキストの解放を行うようにネットワーク側に指示することに用いられることを特徴とする
請求項２５〜２９のいずれか１項に記載の機器。
【請求項３１】
前記コンテキスト解放要求は、前記第１基地局にアクセスする端末が、前記端末が非アクティブ状態からアイドル状態に切り替える必要があることを確定した後に送信されることを特徴とする
請求項２５〜２９のいずれか１項に記載の機器。
【請求項３２】
前記ネットワーク側機器は初期基地局、及び／又は、コアネットワークの管理機器、及び／又は、ネットワーク側中央制御ノードを備え、
前記初期基地局は前記端末が非アクティブ状態に切り替える前に所在するセルに属する基地局であることを特徴とする
請求項２６〜２９のいずれか１項に記載の機器。
【請求項３３】
コンテキスト解放機器であって、
第１基地局から送信された、前記第１基地局が端末から送信されたコンテキスト解放要求を受信した後に送信したコンテキスト解放許可要求であって、前記端末の関連コンテキストの解放を行うようにネットワーク側に指示するためのコンテキスト解放許可要求を受信するための受信モジュールを備えることを特徴とする、前記コンテキスト解放機器。
【請求項３４】
前記機器は、更に、
前記コンテキスト解放許可要求に応じて、前記関連コンテキストの保存されるネットワーク側機器が前記関連コンテキストを解放するようにトリガーするためのトリガーモジュールと、
前記ネットワーク側機器が前記関連コンテキストを解放した後、前記ネットワーク側機器が前記関連コンテキストの解放を完了したことを示すためのコンテキスト解放完了情報を前記第１基地局に送信するための送信モジュールと、を備えることを特徴とする
請求項３３に記載の機器。
【請求項３５】
前記トリガーモジュールは、具体的に、
前記コンテキスト解放許可要求に応じて、前記関連コンテキストの解放を行うように前記ネットワーク側機器に指示するためのコンテキスト解放指示情報を前記ネットワーク側機器に送信することに用いられ、
前記送信モジュールは、具体的に、
前記ネットワーク側機器から送信された、前記ネットワーク側機器が前記関連コンテキストの解放を完了したことを示すためのコンテキスト解放完了情報を受信し、
前記コンテキスト解放完了情報に基づいて前記第１基地局へコンテキスト解放完了情報を送信することに用いられることを特徴とする
請求項３４に記載の機器。
【請求項３６】
前記機器は、更に、
前記コンテキスト解放許可要求に応じて、前記関連コンテキストの保存されるネットワーク側機器が前記関連コンテキストの解放を行うことを許容することを示すためのコンテキスト解放許可応答を生成するための生成モジュールと、
前記第１基地局へ前記コンテキスト解放許可応答を送信するための送信モジュールと、を備えることを特徴とする
請求項３３に記載の機器。
【請求項３７】
前記コンテキスト解放要求は、前記第１基地局により管理されるセル内の端末が非アクティブ状態からアイドル状態に切り替える必要があることを確定した後に送信されることを特徴とする
請求項３３〜３６のいずれか１項に記載の機器。
【請求項３８】
前記ネットワーク側機器は初期基地局、及び／又は、コアネットワークの管理機器、及び／又は、ネットワーク側中央制御ノードを備え、
前記初期基地局は前記端末が非アクティブ状態に切り替える前に所在するセルに属する基地局であることを特徴とする
請求項３４〜３６のいずれか１項に記載の機器。
【請求項３９】
コンテキスト解放システムであって、
請求項２０〜２４のいずれか１項に記載のコンテキスト解放機器を備える端末と、
請求項２５〜３２のいずれか１項に記載のコンテキスト解放機器を備える第１基地局と、を備えることを特徴とする、前記コンテキスト解放システム。
【請求項４０】
前記システムは更に請求項３３〜３８のいずれか１項に記載のコンテキスト解放機器を備えることを特徴とする
請求項３９に記載のシステム。
【発明の詳細な説明】
【技術分野】
【０００１】
本開示は通信技術応用分野に関し、特にコンテキスト解放方法、機器及びシステムに関する。
【背景技術】
【０００２】
社会の発展及び技術の進歩に伴い、ユーザーのモバイル端末のアクセス技術への要求が高まっている。第４世代移動通信技術（４Ｇ：４ｒｄ−Ｇｅｎｅｒａｔｉｏｎ）における移動通信システムのロングタームエボリューション（ＬＴＥ：Ｌｏｎｇ  Ｔｅｒｍ  Ｅｖｏｌｕｔｉｏｎ）システム及び５Ｇ移動通信システムにおいて、よく知られているアイドル（ｉｄｌｅ）状態及び接続（ｃｏｎｎｅｃｔｅｄ）状態以外に、非アクティブ（ｉｎａｃｔｉｖｅ）状態が導入される。非アクティブ状態において、端末はそれのアイドル状態時のモビリティ管理方式で、ハンドオーバーの測定を行う必要とせず、一定のエリア範囲内のセルの間で移動でき、それと同時に、端末は初期基地局との関連コンテキストが接続状態時と同じであり、該関連コンテキストがそれぞれ端末及びネットワーク側に保存され（ネットワーク側では少なくとも初期基地局に保存されている）、初期基地局は、端末が非アクティブ状態に切り替える前に所在するセルに属する基地局である。
【０００３】
現在、ネットワーク側は、端末が非アクティブ状態からアイドル状態に切り替えることが必要である場合、ページングメッセージによって端末を非アクティブ状態から接続状態に切り替えるように制御することができ、更に無線リソース制御（ＲＲＣ：Ｒａｄｉｏ  Ｒｅｓｏｕｒｃｅ  Ｃｏｎｔｒｏｌ）接続解放メッセージによって端末を接続状態からアイドル状態に切り替えるように制御して、端末と初期基地局との関連コンテキスト（Ｃｏｎｔｅｘｔ）を解放し、それに対応して、ネットワーク側も保存されている関連コンテキストを解放する。
【０００４】
しかしながら、上記非アクティブ状態におけるコンテキスト解放方法では、ネットワーク側と端末とが多くのメッセージを交換しなければコンテキストの解放を実現できず、このため、全体的なプロセスが複雑である。
【発明の概要】
【発明が解決しようとする課題】
【０００５】
従来のコンテキスト解放プロセスが複雑である問題を解決するために、本発明はコンテキスト解放方法、機器及びシステムを提供する。前記技術案は以下のとおりである。
【課題を解決するための手段】
【０００６】
第１態様に係るコンテキスト解放方法であって、
端末は前記端末の関連コンテキストの解放を行うようにネットワーク側に指示するためのコンテキスト解放要求を第１基地局に送信する。
【０００７】
好ましくは、前記端末が第１基地局へコンテキスト解放要求を送信した後、前記方法は、更に、
前記端末が前記第１基地局から送信されたコンテキスト解放応答を受信することを含む。
【０００８】
好ましくは、前記端末が第１基地局へコンテキスト解放要求を送信する前に、前記方法は、更に、
前記端末のアプリケーション層又は非アクセス層が前記端末が非アクティブ状態からアイドル状態に切り替える必要があることを確定することを含む。
【０００９】
好ましくは、前記端末が第１基地局へコンテキスト解放要求を送信することは、
前記端末がアクセス層によって第１基地局へ前記コンテキスト解放要求を送信することを含む。
【００１０】
好ましくは、前記コンテキスト解放要求は、解放指示を含む無線リソース制御（ＲＲＣ）接続確立要求であり、又は、前記コンテキスト解放要求は、解放指示を含むＲＲＣ接続復元要求であり、又は、前記コンテキスト解放要求は、解放指示を含むＲＲＣ接続確立完了メッセージであり、又は、前記コンテキスト解放要求は、解放指示を含むＲＲＣ接続復元完了要求であり、
前記解放指示は前記端末の関連コンテキストの解放を行うようにネットワーク側に指示することに用いられる。
【００１１】
第２態様に係るコンテキスト解放方法であって、
第１基地局は端末から送信された、前記端末の関連コンテキストの解放を行うようにネットワーク側に指示するためのコンテキスト解放要求を受信することを含む。
【００１２】
好ましくは、前記第１基地局が端末から送信されたコンテキスト解放要求を受信した後、前記方法は、更に、
前記第１基地局が前記コンテキスト解放要求に応じて前記関連コンテキストの保存されるネットワーク側機器が前記関連コンテキストを解放するようにトリガーすることと、
前記第１基地局が前記端末が前記関連コンテキストを解放するようにトリガーするためのコンテキスト解放応答を前記端末に送信することと、を含む。
【００１３】
好ましくは、前記第１基地局が前記コンテキスト解放要求に応じて前記関連コンテキストの保存されるネットワーク側機器が前記関連コンテキストを解放するようにトリガーすることは、
前記第１基地局が前記コンテキスト解放要求に応じて、前記関連コンテキストの解放を行うように前記ネットワーク側機器に指示するためのコンテキスト解放指示情報を前記ネットワーク側機器に送信することを含み、
前記第１基地局が前記端末へコンテキスト解放応答を送信することは、
前記第１基地局が前記ネットワーク側機器から送信された、前記ネットワーク側機器が前記関連コンテキストの解放を完了したことを示すためのコンテキスト解放完了情報を受信することと、
前記第１基地局が前記コンテキスト解放完了情報に基づいて前記端末へコンテキスト解放応答を送信することと、を含む。
【００１４】
好ましくは、前記第１基地局が前記コンテキスト解放要求に応じて前記関連コンテキストの保存されるネットワーク側機器が前記関連コンテキストを解放するようにトリガーすることは、
前記第１基地局が前記コンテキスト解放要求に応じて、前記ネットワーク側機器が前記関連コンテキストの解放を行う許可を要求するためのコンテキスト解放許可要求をコア管理機器に送信することを含み、
前記第１基地局が前記端末へコンテキスト解放応答を送信することは、
前記第１基地局が前記コア管理機器から送信された、前記ネットワーク側機器が前記関連コンテキストを解放するようにトリガーした後に前記コア管理機器が送信したコンテキスト解放完了情報であって、前記ネットワーク側機器が前記関連コンテキストの解放を完了したことを示すためのコンテキスト解放完了情報を受信することと、
前記第１基地局が前記コンテキスト解放完了情報に基づいて前記端末へコンテキスト解放応答を送信することと、を含む。
【００１５】
好ましくは、前記第１基地局が前記コンテキスト解放要求に応じて前記関連コンテキストの保存されるネットワーク側機器が前記関連コンテキストを解放するようにトリガーすることは、
前記第１基地局が前記コンテキスト解放要求に応じて、前記ネットワーク側機器が前記関連コンテキストの解放を行う許可を要求するためのコンテキスト解放許可要求をコア管理機器に送信することと、
前記第１基地局が前記コア管理機器から送信された、前記ネットワーク側機器が前記関連コンテキストの解放を行うことを許容することを示すためのコンテキスト解放許可応答を受信することと、
前記第１基地局が前記コンテキスト解放許可応答に応じて、前記関連コンテキストの解放を行うように前記ネットワーク側機器に指示するためのコンテキスト解放指示情報を前記ネットワーク側機器に送信することと、を含み、
前記第１基地局が前記端末へコンテキスト解放応答を送信することは、
前記第１基地局が前記ネットワーク側機器から送信された、前記ネットワーク側機器が前記関連コンテキストの解放を完了したことを示すためのコンテキスト解放完了情報を受信することと、
前記第１基地局が前記コンテキスト解放完了情報に基づいて前記端末へコンテキスト解放応答を送信することと、を含む。
【００１６】
好ましくは、前記コンテキスト解放要求は、解放指示を含む無線リソース制御（ＲＲＣ）接続確立要求であり、又は、前記コンテキスト解放要求は、解放指示を含むＲＲＣ接続復元要求であり、又は、前記コンテキスト解放要求は、解放指示を含むＲＲＣ接続確立完了メッセージであり、又は、前記コンテキスト解放要求は、解放指示を含むＲＲＣ接続復元完了要求であり、
前記解放指示は前記端末の関連コンテキストの解放を行うようにネットワーク側に指示することに用いられる。
【００１７】
好ましくは、前記コンテキスト解放要求は、前記第１基地局にアクセスする端末が、前記端末が非アクティブ状態からアイドル状態に切り替える必要があることを確定した後に送信される。
【００１８】
好ましくは、前記ネットワーク側機器は初期基地局、及び／又は、コアネットワークの管理機器、及び／又は、ネットワーク側中央制御ノードを備え、
前記初期基地局は前記端末が非アクティブ状態に切り替える前に所在するセルに属する基地局である。
【００１９】
第３態様に係るコンテキスト解放方法であって、
コア管理機器は第１基地局から送信された、前記第１基地局が端末から送信されたコンテキスト解放要求を受信した後に送信したコンテキスト解放許可要求であって、前記端末の関連コンテキストの解放を行うようにネットワーク側に指示するためのコンテキスト解放許可要求を受信することを含む。
【００２０】
好ましくは、前記コア管理機器が第１基地局から送信されたコンテキスト解放許可要求を受信した後、前記方法は、更に、
前記コア管理機器が前記コンテキスト解放許可要求に応じて、前記関連コンテキストの保存されるネットワーク側機器が前記関連コンテキストを解放するようにトリガーすることと、
前記コア管理機器が前記ネットワーク側機器が前記関連コンテキストを解放した後、前記ネットワーク側機器が前記関連コンテキストの解放を完了したことを示すためのコンテキスト解放完了情報を前記第１基地局に送信することと、を含む。
【００２１】
好ましくは、前記コア管理機器が前記コンテキスト解放許可要求に応じて、前記関連コンテキストの保存されるネットワーク側機器が前記関連コンテキストを解放するようにトリガーすることは、
前記コア管理機器が前記コンテキスト解放許可要求に応じて、前記関連コンテキストの解放を行うように前記ネットワーク側機器に指示するためのコンテキスト解放指示情報を前記ネットワーク側機器に送信することを含み、
前記コア管理機器が前記ネットワーク側機器が前記関連コンテキストを解放した後、前記第１基地局へコンテキスト解放完了情報を送信することは、
前記コア管理機器が前記ネットワーク側機器から送信された、前記ネットワーク側機器が前記関連コンテキストの解放を完了したことを示すためのコンテキスト解放完了情報を受信することと、
前記コア管理機器が前記コンテキスト解放完了情報に基づいて前記第１基地局へコンテキスト解放完了情報を送信することと、を含む。
【００２２】
好ましくは、前記コア管理機器が第１基地局から送信されたコンテキスト解放許可要求を受信した後、前記方法は、更に、
前記コア管理機器が前記コンテキスト解放許可要求に応じて、前記関連コンテキストの保存されるネットワーク側機器が前記関連コンテキストの解放を行うことを許容することを示すためのコンテキスト解放許可応答を生成することと、
前記コア管理機器が前記第１基地局へ前記コンテキスト解放許可応答を送信することと、を含む。
【００２３】
好ましくは、前記コンテキスト解放要求は前記第１基地局により管理されるセル内の端末が非アクティブ状態からアイドル状態に切り替える必要があることを確定した後に送信される。
【００２４】
好ましくは、前記ネットワーク側機器は初期基地局、及び／又は、コアネットワークの管理機器、及び／又は、ネットワーク側中央制御ノードを備え、
前記初期基地局は前記端末が非アクティブ状態に切り替える前に所在するセルに属する基地局である。
【００２５】
第４態様に係るコンテキスト解放機器であって、
前記端末の関連コンテキストの解放を行うようにネットワーク側に指示するためのコンテキスト解放要求を第１基地局に送信するための送信モジュールを備える。
【００２６】
好ましくは、前記機器は、更に、前記第１基地局から送信されたコンテキスト解放応答を受信するための受信モジュールを備える。
【００２７】
好ましくは、前記機器は、更に、
アプリケーション層又は非アクセス層によって前記端末が非アクティブ状態からアイドル状態に切り替える必要があることを確定するための確定モジュールを備える。
【００２８】
好ましくは、前記送信モジュールは、具体的に、
アクセス層によって第１基地局へ前記コンテキスト解放要求を送信することに用いられる。
【００２９】
好ましくは、前記コンテキスト解放要求は、解放指示を含む無線リソース制御（ＲＲＣ）接続確立要求であり、又は、前記コンテキスト解放要求は、解放指示を含むＲＲＣ接続復元要求であり、又は、前記コンテキスト解放要求は、解放指示を含むＲＲＣ接続確立完了メッセージであり、又は、前記コンテキスト解放要求は、解放指示を含むＲＲＣ接続復元完了要求であり、
前記解放指示は前記端末の関連コンテキストの解放を行うようにネットワーク側に指示することに用いられる。
【００３０】
第５態様に係るコンテキスト解放機器であって、
端末から送信された、前記端末の関連コンテキストの解放を行うようにネットワーク側に指示するためのコンテキスト解放要求を受信するための受信モジュールを備える。
【００３１】
好ましくは、前記機器は、更に、
前記コンテキスト解放要求に応じて前記関連コンテキストの保存されるネットワーク側機器が前記関連コンテキストを解放するようにトリガーするためのトリガーモジュールと、
前記端末が前記関連コンテキストを解放するようにトリガーするためのコンテキスト解放応答を前記端末に送信するための送信モジュールと、を備える。
【００３２】
好ましくは、トリガーモジュールは、具体的に、
前記コンテキスト解放要求に応じて、前記関連コンテキストの解放を行うように前記ネットワーク側機器に指示するためのコンテキスト解放指示情報を前記ネットワーク側機器に送信することに用いられ、
送信モジュールは、具体的に、
前記ネットワーク側機器から送信された、前記ネットワーク側機器が前記関連コンテキストの解放を完了したことを示すためのコンテキスト解放完了情報を受信し、
前記コンテキスト解放完了情報に基づいて前記端末へコンテキスト解放応答を送信することに用いられる。
【００３３】
好ましくは、トリガーモジュールは、具体的に、
前記コンテキスト解放要求に応じて、前記ネットワーク側機器が前記関連コンテキストの解放を行う許可を要求するためのコンテキスト解放許可要求をコア管理機器に送信することに用いられ、
送信モジュールは、具体的に、
前記コア管理機器から送信された、前記ネットワーク側機器が前記関連コンテキストを解放するようにトリガーした後に前記コア管理機器が送信したコンテキスト解放完了情報であって、前記ネットワーク側機器が前記関連コンテキストの解放を完了したことを示すためのコンテキスト解放完了情報を受信し、
前記コンテキスト解放完了情報に基づいて前記端末へコンテキスト解放応答を送信することに用いられる。
【００３４】
好ましくは、トリガーモジュールは、具体的に、
前記コンテキスト解放要求に応じて、前記ネットワーク側機器が前記関連コンテキストの解放を行う許可を要求するためのコンテキスト解放許可要求をコア管理機器に送信し、
前記コア管理機器から送信された、前記ネットワーク側機器が前記関連コンテキストの解放を行うことを許容することを示すためのコンテキスト解放許可応答を受信し、
前記コンテキスト解放許可応答に応じて、前記関連コンテキストの解放を行うように前記ネットワーク側機器に指示するためのコンテキスト解放指示情報を前記ネットワーク側機器に送信することに用いられ、
送信モジュールは、具体的に、
前記ネットワーク側機器から送信された、前記ネットワーク側機器が前記関連コンテキストの解放を完了したことを示すためのコンテキスト解放完了情報を受信し、
前記コンテキスト解放完了情報に基づいて前記端末へコンテキスト解放応答を送信することに用いられる。
【００３５】
好ましくは、前記コンテキスト解放要求は、解放指示を含む無線リソース制御（ＲＲＣ）接続確立要求であり、又は、前記コンテキスト解放要求は、解放指示を含むＲＲＣ接続復元要求であり、又は、前記コンテキスト解放要求は、解放指示を含むＲＲＣ接続確立完了メッセージであり、又は、前記コンテキスト解放要求は、解放指示を含むＲＲＣ接続復元完了要求であり、
前記解放指示は前記端末の関連コンテキストの解放を行うようにネットワーク側に指示することに用いられる。
【００３６】
好ましくは、前記コンテキスト解放要求は、前記第１基地局にアクセスする端末が、前記端末が非アクティブ状態からアイドル状態に切り替える必要があることを確定した後に送信される。
【００３７】
好ましくは、前記ネットワーク側機器は初期基地局、及び／又は、コアネットワークの管理機器、及び／又は、ネットワーク側中央制御ノードを備え、
前記初期基地局は前記端末が非アクティブ状態に切り替える前に所在するセルに属する基地局である。
【００３８】
第６態様に係るコンテキスト解放機器であって、
第１基地局から送信された、前記第１基地局が端末から送信されたコンテキスト解放要求を受信した後に送信したコンテキスト解放許可要求であって、前記端末の関連コンテキストの解放を行うようにネットワーク側に指示するためのコンテキスト解放許可要求を受信するための受信モジュールを備える。
【００３９】
好ましくは、前記機器は、更に、
前記コンテキスト解放許可要求に応じて、前記関連コンテキストの保存されるネットワーク側機器が前記関連コンテキストを解放するようにトリガーするためのトリガーモジュールと、
前記ネットワーク側機器が前記関連コンテキストを解放した後、前記ネットワーク側機器が前記関連コンテキストの解放を完了したことを示すためのコンテキスト解放完了情報を前記第１基地局に送信するための送信モジュールと、を備える。
【００４０】
好ましくは、前記トリガーモジュールは、具体的に、
前記コンテキスト解放許可要求に応じて、前記関連コンテキストの解放を行うように前記ネットワーク側機器に指示するためのコンテキスト解放指示情報を前記ネットワーク側機器に送信することに用いられ、
前記送信モジュールは、具体的に、
前記ネットワーク側機器から送信された、前記ネットワーク側機器が前記関連コンテキストの解放を完了したことを示すためのコンテキスト解放完了情報を受信し、
前記コンテキスト解放完了情報に基づいて前記第１基地局へコンテキスト解放完了情報を送信することに用いられる。
【００４１】
好ましくは、前記機器は、更に、
前記コンテキスト解放許可要求に応じて、前記関連コンテキストの保存されるネットワーク側機器が前記関連コンテキストの解放を行うことを許容することを示すためのコンテキスト解放許可応答を生成するための生成モジュールと、
前記第１基地局へ前記コンテキスト解放許可応答を送信するための送信モジュールと、を備える。
【００４２】
好ましくは、前記コンテキスト解放要求は前記第１基地局により管理されるセル内の端末が非アクティブ状態からアイドル状態に切り替える必要があることを確定した後に送信される。
【００４３】
好ましくは、前記ネットワーク側機器は初期基地局、及び／又は、コアネットワークの管理機器、及び／又は、ネットワーク側中央制御ノードを備え、
前記初期基地局は前記端末が非アクティブ状態に切り替える前に所在するセルに属する基地局である。
【００４４】
第７態様に係るコンテキスト解放システムであって、
第４態様のいずれか１項に記載のコンテキスト解放機器を備える端末と、
第５態様のいずれか１項に記載のコンテキスト解放機器を備える第１基地局と、を備える。
【００４５】
好ましくは、前記システムは更に第６態様のいずれか１項に記載のコンテキスト解放機器を備える。
【発明の効果】
【００４６】
本発明の実施例に係るコンテキスト解放方法、機器及びシステムは、端末によりネットワーク側が関連コンテキストを解放するようにトリガーすることにより、コンテキスト解放過程、特に非アクティブ状態におけるコンテキスト解放過程において、接続状態に切り替えてからアイドル状態に切り替える必要がなく、端末とネットワーク側とのシグナリング交換を効果的に減少させ、シグナリングオーバーヘッドを減少させ、全体的なプロセスを簡素化する。
【００４７】
以上の一般的な説明及び以下の詳細な説明は例示的及び解釈的なものに過ぎず、本発明を限定するためのものではないと理解すべきである。
【図面の簡単な説明】
【００４８】
【図１】図１は本発明の一部の実施例に係るコンテキスト解放方法に関わるコンテキスト解放システムの実施環境の模式図である。
【図２−１】図２−１は本発明の実施例に係るコンテキスト解放方法のフローチャートである。
【図２−２】図２−２は本発明の実施例に係る端末と第１基地局とがＲＲＣ接続を確立する方法のフローチャートである。
【図３−１】図３−１は本発明の実施例に係る他のコンテキスト解放方法のフローチャートである。
【図３−２】図３−２は本発明の実施例に係るコア管理機器がネットワーク側機器の関連コンテキストの解放をトリガーするフローチャートである。
【図３−３】図３−３は本発明の実施例に係るコア管理機器が第１基地局へコンテキスト解放完了情報を送信するフローチャートである。
【図４】図４は本発明の実施例に係る別のコンテキスト解放方法のフローチャートである。
【図５−１】図５−１は本発明の例示的な一実施例に係るコンテキスト解放機器のブロック図である。
【図５−２】図５−２は本発明の例示的な一実施例に係る他のコンテキスト解放機器のブロック図である。
【図５−３】図５−３は本発明の例示的な一実施例に係る別のコンテキスト解放機器のブロック図である。
【図６−１】図６−１は本発明の例示的な他の実施例に係るコンテキスト解放機器のブロック図である。
【図６−２】図６−２は本発明の例示的な他の実施例に係る他のコンテキスト解放機器のブロック図である。
【図７−１】図７−１は本発明の例示的な別の実施例に係るコンテキスト解放機器のブロック図である。
【図７−２】図７−２は本発明の例示的な別の実施例に係る他のコンテキスト解放機器のブロック図である。
【図７−３】図７−３は本発明の例示的な別の実施例に係る別のコンテキスト解放機器のブロック図である。
【図８】図８は本発明の例示的な一実施例に係るコンテキスト解放機器の構造模式図である。
【発明を実施するための形態】
【００４９】
本発明の実施例の技術案をより明確に説明するために、以下に実施例の記述において必要な図面を用いて簡単に説明を行うが、当然ながら、以下に記載する図面は単に本発明の実施例の一例であって、当業者であれば、創造的な労力を要することなく、これらの図面に基づいて他の図面に想到しうる。
【００５０】
上記図面によって、本発明の明確な実施例を示したが、以下に更に詳しく説明する。これらの図面及び文字説明はいかなる方式で本発明の構想の範囲を限定するためのものではなく、特定の実施例を参照して当業者のために本発明の概念を説明するためのものである。
【００５１】
本発明の目的、技術案及び利点を明らかにするために、以下に図面を参照しながら本発明の実施形態を更に詳しく説明する。
【００５２】
図１には本発明の一部の実施例に係るコンテキスト解放方法に関わるコンテキスト解放システムの実施環境の模式図を示す。該コンテキスト解放システムはＬＴＥシステム又は５Ｇ移動通信システム、又は様々な移動通信システムが共に存在するヘテロジニアスネットワーク（ｈｅｔｅｒｏｇｅｎｅｏｕｓ  ｎｅｔｗｏｒｋ）等であってもよく、該実施環境は第１基地局１１０、ネットワーク側機器１２０、コア管理機器１３０及び端末１４０を含んでもよい。端末１４０と第１基地局１１０とが通信でき、第１基地局１１０がそれぞれネットワーク側機器１２０及びコア管理機器１３０と通信でき、ネットワーク側機器１２０とコア管理機器１３０とが通信できる。
【００５３】
本発明の実施例では、ネットワーク側機器１２０は基地局、及び／又は、コアネットワークの管理機器（例えば、ＬＴＥにおけるＭＭＥ）、及び／又は、ネットワーク側中央制御ノードを備えてもよく、上記基地局は少なくとも初期基地局を含み、該初期基地局は端末が非アクティブ状態に切り替える前に所在するセルに属する基地局である。コア管理機器１３０は１台のサーバ、又は複数台のサーバからなるサーバクラスタ、又は１つのクラウドコンピューティングサービスセンターであってもよく、本発明の実施例ではコア管理機器は１つの一般化された概念であってもよく、それは１つの管理機器であってもよく、１つの管理機器クラスタであってもよく、更に複数の管理機器クラスタであってもよく、例示的に、ＬＴＥシステムでは、該コア管理機器は１つのＭＭＥであってもよく、１つのＭＭＥクラスタであってもよく、更に複数のＭＭＥクラスタであってもよく、該コア管理機器１３０は第１基地局１１０及び／又はネットワーク側機器１２０を管理できる。端末１４０はスマートフォン、コンピュータ、マルチメディアプレーヤー、電子リーダー、ウェアラブルデバイス等であってもよい。ネットワーク側機器１２０及び端末１４０に端末の関連コンテキストが保存され、該関連コンテキストは端末に関連する部分又はすべてのコンテキストであってもよい。該関連コンテキストは端末に関連する現在のベアラ情報、サービス品質（ＱｏＳ：Ｑｕａｌｉｔｙ  ｏｆ  Ｓｅｒｖｉｃｅ）情報及びセキュリティコンテキスト等を含んでもよく、例えば、セキュリティコンテキストはネットワークキー及び非アクセス層（ＮＡＳ：Ｎｏｎ−Ａｃｃｅｓｓ  Ｓｔｒａｔｕｍ）シリアル番号等を含んでもよい。
【００５４】
上記実施環境において、コア管理機器１３０及び第１基地局１１０が異なる移動通信システムで代表された機器は異なり、例えば、ＬＴＥシステムにおいて、コア管理機器１３０はコアネットワークの１つ又は複数のモビリティ管理エンティティ（ＭＭＥ：Ｍｏｂｉｌｉｔｙ  Ｍａｎａｇｅｍｅｎｔ  Ｅｎｔｉｔｙ）であってもよく、第１基地局１１０は発展型基地局（ｅＮＢ：Ｅｖｏｌｖｅｄ  Ｎｏｄｅ  Ｂ）であってもよく、５Ｇ移動通信システムがコアネットワークの１つ又は複数の管理機器である場合、第１基地局１１０が次世代基地局（ｇＮＢ：ｇｅｎｅｒａｔｉｏｎ  Ｎｏｄｅ  Ｂ）である。
【００５５】
上記実施環境において、端末は一般的にアイドル状態、接続状態及び非アクティブ状態の３つの状態があり、アイドル状態とは、端末が電源オンしたが、無線ネットワークと無線リソース制御（ＲＲＣ：Ｒａｄｉｏ  Ｒｅｓｏｕｒｃｅ  Ｃｏｎｔｒｏｌ）接続を確立していない時にある状態を意味し、接続状態とは、端末が電源オンしたが、無線ネットワークと無線リソース制御（ＲＲＣ：Ｒａｄｉｏ  Ｒｅｓｏｕｒｃｅ  Ｃｏｎｔｒｏｌ）接続を確立している時にある状態を意味し、非アクティブ状態がアイドル状態と接続状態との間に介在し、非アクティブ状態において、端末のモビリティ管理方式がアイドル状態と同じであり、端末及び初期基地局の関連コンテキストが接続状態時と同じである。
【００５６】
本発明の実施例では、端末１４０が現在非アクティブ状態にあると仮定し、それが該非アクティブ状態に切り替える前に該端末の関連コンテキストの保存されるネットワーク側機器が上記ネットワーク側機器１２０であり、非アクティブ状態にある端末が一定のエリア範囲内（ネットワーク側に予め設定された１つの範囲であってもよい）のセルの間で移動できるため、端末１４０の現在所在するセルが第１基地局１１０（該第１基地局１１０が初期基地局であってもよいし、初期基地局でなくてもよく、本発明の実施例は限定しない）に属すると仮定し、端末が該端末が非アクティブ状態からアイドル状態に切り替える必要があることを確定した後、端末１４０はネットワーク側がコンテキスト解放プロセスを実行するように能動的にトリガーすることで、端末のコンテキストの記憶されるネットワーク側機器１２０に関連コンテキストの解放を行わせることができる。具体的に、端末は、端末の関連コンテキストの解放を行うようにネットワーク側に指示するためのコンテキスト解放要求を第１基地局に送信し、第１基地局はコンテキスト解放要求に応じてネットワーク側機器の関連コンテキストの解放をトリガーして、ネットワーク側機器が関連コンテキストを解放した後、端末にコンテキスト解放応答をフィードバックし、端末は第１基地局から送信されたコンテキスト解放応答を受信した後、端末内の関連コンテキストを解放することができる。
【００５７】
本発明の実施例では、端末はコンテキスト解放要求を送信することにより、第１基地局によってコンテキスト解放要求に応じてネットワーク側機器の関連コンテキストの解放をトリガーしてもよく、第１基地局はコア管理機器の許容を得てからネットワーク側機器の関連コンテキストの解放をトリガーしてもよく、コア管理機器によってネットワーク側機器の関連コンテキストの解放を間接的にトリガーしてもよく、更にネットワーク側機器の関連コンテキストの解放を直接トリガーしてもよい。本発明の実施例は以下のいくつかの態様を例として説明する。
【００５８】
第１態様として、第１基地局はコア管理機器の許容を得てからネットワーク側機器の関連コンテキストの解放をトリガーしてもよく、図２−１に示すように、具体的に以下のステップを含む。
【００５９】
ステップ２０１において、端末は、端末が非アクティブ状態からアイドル状態に切り替える必要があることを確定する。
【００６０】
本発明の実施例では、端末の上位層、例えばアプリケーション層（Ａｐｐｌｉｃａｔｉｏｎ  Ｌａｙｅｒ）又は非アクセス層は端末が非アクティブ状態からアイドル状態に切り替える必要があることを確定することができる。
【００６１】
アプリケーション層は、ユーザーとやり取りする上位層（すなわち、アプリケーション層がユーザーに面するものである）として、その主なタスクはユーザーのアプリケーションプロセスにサービスを直接提供することである。アプリケーション層はアプリケーションプロセスが通信時に従うべきであるプロトコルを規定することができる。アプリケーション層の管理下の各アプリケーションプログラムはいずれもその自体のプロセスにおいて実行しており、一般的にいずれも１つの独立した仮想マシンを有する。
【００６２】
プロトコルスタックにおいて、非アクセス層のプロセスは端末（ユーザー機器（ＵＥ：Ｕｓｅｒ  Ｅｑｕｉｐｍｅｎｔ）とも称される）及びコアネットワーク（ＣＮ：ｃｏｒｅ  ｎｅｔｗｏｒｋ）が処理すべきシグナリングプロセスである。ＲＲＣ及び無線アクセスネットワークアプリケーション部（ＲＡＮＡＰ：Ｒａｄｉｏ  Ａｃｃｅｓｓ  Ｎｅｔｗｏｒｋ  Ａｐｐｌｉｃａｔｉｏｎ  Ｐａｒｔ）層及びそれ以下のプロトコル層はアクセス層（ＡＳ：Ａｃｃｅｓｓ  Ｓｔｒａｔｕｍ）と称され、それら以上のモビリティ管理（ＭＭ：Ｍｏｂｉｌｅ  Ｍａｎａｇｅｍｅｎｔ）、呼制御（ＣＣ：Ｃａｌｌ  Ｃｏｎｔｒｏｌ）及びショートメッセージサービス（ＳＭＳ：Ｓｈｏｒｔ  Ｍｅｓｓａｇｅ  Ｓｅｒｖｉｃｅ）等はＮＡＳと称される。
【００６３】
本発明の実施例では、アプリケーション層は端末におけるネットワークアプリケーション（すなわち、ネットワーク側と交換すべきアプリケーション、例えばインスタントメッセージングアプリケーション）の実行状態を検出し（具体的に、該アプリケーションのプロセスを監視することができる）、該実行状態に応じて端末が非アクティブ状態からアイドル状態に切り替える必要があることを確定することができ、例えば、端末には少なくとも１つのネットワークアプリケーションが起動状態にある場合、アプリケーション層は端末が非アクティブ状態からアイドル状態に切り替えることを確定することができ、端末におけるすべてのネットワークアプリケーションが停止状態にある場合、アプリケーション層は端末が非アクティブ状態からアイドル状態に切り替える必要があることを確定することができる。
【００６４】
例示的に、具体的なシーンは以下のとおりであってもよい。つまり、端末が非アクティブ状態にあるとき、アプリケーション層が現在端末が何かしらのネットワークアプリケーション、例えばウェブブラウザを起動していると感知した場合、プリセットのルールに従って、アプリケーション層は、ユーザーが該何かしらのネットワークアプリケーションを操作しており、これから端末がネットワーク側と、対応するユーザーの操作に応答するためのデータ伝送する可能性があることを見なしてもよく、この場合、アプリケーション層は該端末がこれからデータ伝送する必要がある可能性があることを確定する。その理由として、端末が非アクティブ状態を維持すればよく、端末が非アクティブ状態からアイドル状態に切り替える必要がない。データ伝送する必要があるとき、接続状態に切り替えてもよいためである。アプリケーション層は現在端末が何かしらのネットワークアプリケーション、例えばウェブブラウザを停止したことを感知する場合、プリセットのルールに従って、アプリケーション層は、ユーザーが該何かしらのネットワークアプリケーションをもう操作せず、これから端末がネットワーク側とユーザーの操作に応答するためのデータ伝送をしなくてもよいことを見してもよく、この場合、アプリケーション層は該端末がこれからデータ伝送する必要がない可能性があることを確定し、従って、端末は非アクティブ状態からアイドル状態に切り替えることができ、それによって端末とネットワーク側との接続を切断することができ、端末のエネルギー消費量を減少させる。
【００６５】
非アクセス層は端末におけるＮＡＳシグナリングの送受信状態を検出して、該送受信状態に応じて端末が非アクティブ状態からアイドル状態に切り替える必要があるかどうかを確定することができ、例えば、端末には少なくとも１つのＮＡＳシグナリングが送受信待ち状態にある場合、非アクセス層は、端末が非アクティブ状態からアイドル状態に切り替える必要がないと確定することができ、端末に送受信待ちのＮＡＳシグナリングがない場合、アプリケーション層は、端末が非アクティブ状態からアイドル状態に切り替える必要があることを確定することができる。
【００６６】
例示的に、具体的なシーンは以下のとおりであってもよい。つまり、非アクセス層に送受信待ちのシグナリングがある場合、端末とコアネットワークとがシグナリング伝送を行う必要があることを示し、この場合、非アクセス層は該端末が以後にシグナリング伝送を行う必要がある可能性があることを確定し、従って、端末は非アクティブ状態からアイドル状態に切り替える必要がなく、非アクティブ状態を維持すればよく、以後にシグナリングを伝送する必要があるとき、端末が接続状態に切り替えてもよく、非アクセス層に送受信待ちのシグナリングがない場合、端末とネットワーク側とが現在シグナリング伝送を行う必要がないことを示し、この場合、非アクセス層は該端末が現在シグナリング伝送を行う必要がないことを確定し、従って、端末は非アクティブ状態からアイドル状態に切り替えることができ、それによって端末とネットワーク側との接続を切断し、端末のエネルギー消費量を減少させる。
【００６７】
実際の応用では、更に他の方式で端末が非アクティブ状態からアイドル状態に切り替える必要があることを確定してもよく、本発明の実施例は限定しない。
【００６８】
ステップ２０２において、端末が第１基地局へコンテキスト解放要求を送信する。
【００６９】
該コンテキスト解放要求は端末の関連コンテキストの解放を行うようにネットワーク側に指示することに用いられる。好ましくは、端末はアクセス層によって第１基地局へコンテキスト解放要求を送信することができる。
【００７０】
実際の応用では、端末は第１基地局とＲＲＣ接続を確立してから情報の交換を行うことができる。端末が第１基地局とＲＲＣ接続を確立する過程は図２−２を参照してもよく、以下のステップを含む。
【００７１】
ステップ２０２１において、端末が第１基地局へＲＲＣ接続確立要求（ＲＲＣ  Ｃｏｎｎｅｃｔｉｏｎ  Ｒｅｓｕｍｅ  Ｒｅｑｕｅｓｔ）を送信する。
【００７２】
好ましくは、端末は予め受信されたページングメッセージに基づいて第１基地局へＲＲＣ接続確立要求を送信することができる。
【００７３】
ステップ２０２２において、第１基地局が端末へＲＲＣ接続確立応答（ＲＲＣ  Ｃｏｎｎｅｃｔｉｏｎ  Ｒｅｓｕｍｅ）を送信する。
【００７４】
ステップ２０２３において、端末が第１基地局へＲＲＣ確立完了メッセージ（ＲＲＣ  Ｃｏｎｎｅｃｔｉｏｎ  Ｒｅｓｕｍｅ  Ｃｏｍｐｌｅｔｅ）を送信する。
【００７５】
上記ステップ２０２１〜２０２３の具体的な過程は３ＧＰＰ３６．３３１というＬＴＥ  ＲＲＣプロトコルを参照してもよく、本発明の実施例では詳細な説明は省略する。
【００７６】
ただし、端末と第１基地局とがＲＲＣ接続の確立を完了した後、切り替え失敗、無線リンク失敗、整合性保護失敗又はＲＲＣ再構成失敗等の状況がある場合、端末がＲＲＣ接続再確立過程をトリガーする。該過程はＲＲＣ接続の再確立を目的とし、シグナリング無線ベアラ１（ＳＲＢ１：ｓｉｇｎａｌｌｉｎｇ  ｒａｄｉｏ  ｂｅａｒｅｒｓ１）操作の回復及びセキュリティの再アクティブ等を含んでもよい。例示的に、端末は第１基地局へＲＲＣ接続復元要求を送信することができ、第１基地局は該ＲＲＣ接続復元要求を受信した後、該ＲＲＣ接続復元要求に応じて、該端末へＲＲＣ接続再確立応答を送信することができ、端末は該ＲＲＣ接続再確立応答を受信した後、該ＲＲＣ接続再確立応答に応じて対応する構成を行うことができ、構成が完了した後、第１基地局にＲＲＣ接続の再確立過程を完了したことを通知するよう、第１基地局へＲＲＣ接続復元完了要求を送信する。
【００７７】
好ましくは、本発明の実施例におけるコンテキスト解放要求は新しいシグナリングであってもよいし、従来のシグナリングを多重化してもよく、該コンテキスト解放要求が従来のシグナリングを多重化する場合、一態様では、図２−２に示すように、コンテキスト解放要求はＲＲＣ接続確立中のシグナリングと多重化してもよく、例えば、該コンテキスト解放要求は解放指示（ｒｅｌｅａｓｅ  ｉｎｄｉｃａｔｉｏｎ）を持つＲＲＣ接続確立要求であってもよく、又は、コンテキスト解放要求は解放指示を含むＲＲＣ接続確立完了メッセージであり、他の態様では、コンテキスト解放要求はＲＲＣ接続再確立中のシグナリングと多重化してもよく、例えば、該コンテキスト解放要求は解放指示を含むＲＲＣ接続復元要求であってもよく、又は、該コンテキスト解放要求は解放指示を含むＲＲＣ接続復元完了要求である。
【００７８】
該解放指示は端末の関連コンテキストの解放を行うようにネットワーク側に指示することに用いられる。該解放指示の形式は従来のＲＲＣプロトコルに合致してもよく、該解放指示を含むメッセージは端末によるネットワーク側の関連コンテキストの解放のトリガーを実現することに用いられてもよい。
【００７９】
ステップ２０３において、第１基地局がコンテキスト解放要求に応じて、コア管理機器へコンテキスト解放許可要求を送信する。
【００８０】
本発明の実施例では、第１基地局はコア管理機器がネットワーク側機器のコンテキストの解放を許可するように要求するよう、コア管理機器へコンテキスト解放許可要求を送信することができる。好ましくは、該コンテキスト解放許可要求は更に上記解放指示を持ってもよい。
【００８１】
ステップ２０４において、コア管理機器がコンテキスト解放許可要求に応じて、コンテキスト解放許可応答を生成する。
【００８２】
コア管理機器はコンテキスト解放許可要求に応じて、ネットワーク側機器による関連コンテキストの解放を許容するかどうかを判断することができる。例示的に、コア管理機器はプリセットの時間帯内に端末にデータ伝送が発生するかどうかを予測することができ、該プリセットの時間帯内に端末にデータ伝送が発生したと予測する場合、ネットワーク側機器による関連コンテキストの解放を許容せず、このように、端末とネットワーク側との接続が切断してから接続を再確立することによるネットワークリソースの無駄遣いを避けることができ、該プリセットの時間帯内に端末にデータ伝送が発生しないと予測する場合、ネットワーク側機器による関連コンテキストの解放を許容し、このように、ネットワーク側機器の負荷を減少させることができる。
【００８３】
例えば、コア管理機器がコンテキスト解放許可要求を受信する時にカウントダウンし、該カウントダウン時間が上記プリセットの時間帯の時間に等しく、コアネットワークはカウントダウンが終了する前に端末に対するデータ伝送要求を受信する場合、該プリセットの時間帯内に端末にデータ伝送が発生したと予測する。
【００８４】
本発明の実施例では、コア管理機器はコンテキスト解放許可要求に応じて、ネットワーク側機器による関連コンテキストの解放を許容すると確定すると仮定する場合、コア管理機器はコンテキスト解放許可応答を生成することができる。該コンテキスト解放許可応答はネットワーク側機器による関連コンテキストの解放を許容することを指示することに用いられる。
【００８５】
ステップ２０５において、コア管理機器が第１基地局へコンテキスト解放許可応答を送信する。
【００８６】
コア管理機器と第１基地局とがデータ伝送する過程は関連プロトコルを参照してもよく、本発明の実施例は限定しない。
【００８７】
ステップ２０６において、第１基地局がコンテキスト解放許可応答に応じて、ネットワーク側機器へコンテキスト解放指示情報を送信する。
【００８８】
コア管理機器がネットワーク側機器によるコンテキストの解放を許容するため、第１基地局はコンテキストに応じて許可応答を解放することができ、該コンテキスト解放指示情報は関連コンテキストの解放を行うようにネットワーク側機器に指示することに用いられる。ネットワーク側機器の関連コンテキストの解放をトリガーするように、第１基地局がネットワーク側機器へコンテキスト解放指示情報を送信する。
【００８９】
ステップ２０７において、ネットワーク側機器がコンテキスト解放指示情報に基づいて関連コンテキストの解放を行う。
【００９０】
関連コンテキストの解放過程は本質的にネットワーク側機器が関連コンテキストを削除する過程であり、具体的に関連プロトコルにおける内容を参照してもよく、本発明の実施例では詳細な説明は省略する。
【００９１】
ステップ２０８において、ネットワーク側機器が第１基地局へコンテキスト解放完了情報を送信する。
【００９２】
ネットワーク側機器は関連コンテキストの解放を完了した後、第１基地局に通知するよう、第１基地局へコンテキスト解放完了情報を送信することができる。該コンテキスト解放完了情報はネットワーク側機器が関連コンテキストの解放を完了したことを示すことに用いられる。
【００９３】
ステップ２０９において、第１基地局がコンテキスト解放完了情報に基づいて端末へコンテキスト解放応答を送信する。
【００９４】
第１基地局はコンテキスト解放完了情報を受信した後、ネットワーク側機器が関連コンテキストの解放を完了したことを端末に通知するよう、端末へコンテキスト解放応答を送信することができ、コンテキスト解放完了情報とコンテキスト解放応答における内容とが同じであってもよいし、異なってもよい。
【００９５】
ステップ２１０において、端末がコンテキスト解放応答に応じて端末内の関連コンテキストを解放する。
【００９６】
本発明の実施例では、自体の負荷を減少させるよう、端末はコンテキスト解放応答に応じて、自体の関連コンテキストを解放することができるが、実際の応用では、端末は自体の関連コンテキストの解放を行わなくてもよく、本発明の実施例は限定しない。
【００９７】
ただし、上記実施例に係るコンテキスト解放方法は、ステップの前後順序を適宜調整してもよく、状況に応じて、ステップに対し対応する増減を行ってもよく、当業者が本発明に開示される技術的範囲内に容易に想到し得る方法は、いずれも本発明の保護範囲内に含まれるべきであり、従って、詳細な説明は省略する。
【００９８】
第２態様として、ネットワーク側機器はコア管理機器によってネットワーク側機器を間接的にトリガーして関連コンテキストを解放させてもよく、図３−１に示すように、具体的に以下のステップを含む。
【００９９】
ステップ３０１において、端末は、端末が非アクティブ状態からアイドル状態に切り替える必要があることを確定する。
【０１００】
ステップ３０１の具体的な過程はステップ２０１を参照してもよく、本発明の実施例では詳細な説明は省略する。
【０１０１】
ステップ３０２において、端末が第１基地局へコンテキスト解放要求を送信する。
【０１０２】
上記コンテキスト解放要求は端末の関連コンテキストの解放を行うようにネットワーク側に指示することに用いられる。ステップ３０２における他の内容はステップ２０２を参照してもよく、本発明の実施例では詳細な説明は省略する。
【０１０３】
ステップ３０３において、第１基地局がコンテキスト解放要求に応じてコア管理機器へコンテキスト解放許可要求を送信する。
【０１０４】
上記コンテキスト解放許可要求はネットワーク側機器が関連コンテキストの解放を行うことを許可するように要求することに用いられる。ステップ３０３における他の内容はステップ２０３を参照してもよく、本発明の実施例では詳細な説明は省略する。
【０１０５】
ステップ３０４において、コア管理機器がコンテキスト解放許可要求に応じて、関連コンテキストの保存されるネットワーク側機器の関連コンテキストの解放をトリガーする。
【０１０６】
好ましくは、図３−２に示すように、コア管理機器がコンテキスト解放許可要求に応じて、関連コンテキストの保存されるネットワーク側機器の関連コンテキストの解放をトリガーする過程は以下のステップを含んでもよい。
【０１０７】
ステップ３０４１において、コア管理機器はコンテキスト解放許可要求に応じて、関連コンテキストの解放を行うようにネットワーク側機器に指示するためのコンテキスト解放指示情報をネットワーク側機器に送信する。
【０１０８】
コア管理機器はコンテキスト解放許可要求に応じて、ネットワーク側機器による関連コンテキストの解放を許容するかどうかを判断することができる。例示的に、コア管理機器はプリセットの時間帯内に端末にデータ伝送が発生するかどうかを予測することができ、該プリセットの時間帯内に端末にデータ伝送が発生したと予測する場合、ネットワーク側機器による関連コンテキストの解放を許容せず、このように、端末とネットワーク側との接続が切断してから接続を再確立することによるネットワークリソースの無駄遣いを避けることができ、該プリセットの時間帯内に端末にデータ伝送が発生していないと予測する場合、ネットワーク側機器による関連コンテキストの解放を許容し、このように、ネットワーク側機器の負荷を減少させることができる。
【０１０９】
例えば、コア管理機器がコンテキスト解放許可要求を受信する時にカウントダウンし、該カウントダウン時間が上記プリセットの時間帯の時間に等しく、コアネットワークはカウントダウンが終了する前に端末に対するデータ伝送要求を受信した場合、該プリセットの時間帯内に端末にデータ伝送が発生したと予測する。
【０１１０】
本発明の実施例では、コア管理機器がコンテキスト解放許可要求に応じて、ネットワーク側機器による関連コンテキストの解放を許容すると確定すると仮定する場合、ネットワーク側機器の関連コンテキストの解放をトリガーするよう、コア管理機器はネットワーク側機器へコンテキスト解放指示情報を送信することができる。
【０１１１】
ステップ３０４２において、ネットワーク側機器がコンテキスト解放指示情報に基づいて関連コンテキストの解放を行う。
【０１１２】
ステップ３０４２は上記ステップ２０７を参照してもよく、本発明の実施例では詳細な説明は省略する。
【０１１３】
ステップ３０５において、コア管理機器が第１基地局へコンテキスト解放完了情報を送信する。
【０１１４】
上記コンテキスト解放完了情報はネットワーク側機器が関連コンテキストの解放を完了したことを示すことに用いられる。
【０１１５】
好ましくは、図３−３に示すように、コア管理機器が第１基地局へコンテキスト解放完了情報を送信する過程は以下のステップを含んでもよい。
【０１１６】
ステップ３０５１において、ネットワーク側機器はネットワーク側機器が関連コンテキストの解放を完了したことを示すためのコンテキスト解放完了情報をコア管理機器に送信する。
【０１１７】
ネットワーク側機器は関連コンテキストの解放を完了した後、コア管理機器に通知するよう、コア管理機器へコンテキスト解放完了情報を送信することができる。
【０１１８】
ステップ３０５２において、コア管理機器がコンテキスト解放完了情報に基づいて第１基地局へコンテキスト解放完了情報を送信する。
【０１１９】
コア管理機器はコンテキスト解放完了情報を受信した後、ネットワーク側機器が関連コンテキストの解放を完了したことを第１基地局に通知するよう、第１基地局へコンテキスト解放完了情報を送信することができる。
【０１２０】
ただし、ネットワーク側機器から送信されたコンテキスト解放完了情報とコア管理機器から送信されたコンテキスト解放完了情報とが同じであってもよいし、異なってもよい。
【０１２１】
ステップ３０６において、第１基地局がコンテキスト解放完了情報に基づいて端末へコンテキスト解放応答を送信する。
【０１２２】
ステップ３０６は上記ステップ２０９を参照してもよく、本発明の実施例では詳細な説明は省略する。
【０１２３】
ステップ３０７において、端末がコンテキスト解放応答に応じて、端末内の関連コンテキストを解放する。
【０１２４】
ステップ３０７は上記ステップ２１０を参照してもよく、本発明の実施例では詳細な説明は省略する。
【０１２５】
ただし、上記実施例に係るコンテキスト解放方法は、ステップの前後順序を適宜調整してもよく、状況に応じて、ステップに対し対応する増減を行ってもよく、当業者が本発明に開示される技術的範囲内に容易に想到し得る方法は、いずれも本発明の保護範囲内に含まれるべきであり、従って、詳細な説明は省略する。
【０１２６】
第３態様として、第１基地局はネットワーク側機器を直接トリガーして関連コンテキストを解放させることができ、図４に示すように、具体的に以下のステップを含む。
【０１２７】
ステップ４０１において、端末は、端末が非アクティブ状態からアイドル状態に切り替える必要があることを確定する。
【０１２８】
ステップ４０１の具体的な過程はステップ２０１を参照してもよく、本発明の実施例では詳細な説明は省略する。
【０１２９】
ステップ４０２において、端末が第１基地局へコンテキスト解放要求を送信する。
【０１３０】
上記コンテキスト解放要求は端末の関連コンテキストの解放を行うようにネットワーク側に指示することに用いられる。ステップ４０２における他の内容はステップ２０２を参照してもよく、本発明の実施例では詳細な説明は省略する。
【０１３１】
ステップ４０３において、第１基地局がコンテキスト解放要求に応じて、ネットワーク側機器へコンテキスト解放指示情報を送信する。
【０１３２】
ネットワーク側機器の関連コンテキストの解放をトリガーするように、第１基地局はコンテキスト解放要求に応じて、ネットワーク側機器へコンテキスト解放指示情報を送信することができる。該コンテキスト解放指示情報は関連コンテキストの解放を行うようにネットワーク側機器に指示することに用いられる。
【０１３３】
ステップ４０４において、ネットワーク側機器がコンテキスト解放指示情報に基づいて関連コンテキストの解放を行う。
【０１３４】
ステップ４０４はステップ２０７を参照してもよく、本発明の実施例では詳細な説明は省略する。
【０１３５】
ステップ４０５において、ネットワーク側機器が第１基地局へコンテキスト解放完了情報を送信する。
【０１３６】
該コンテキスト解放完了情報はネットワーク側機器が関連コンテキストの解放を完了したことを示すことに用いられる。ステップ４０５における他の内容は上記ステップ２０８を参照してもよく、本発明の実施例では詳細な説明は省略する。
【０１３７】
ステップ４０６において、第１基地局がコンテキスト解放完了情報に基づいて端末へコンテキスト解放応答を送信する。
【０１３８】
ステップ４０６は上記ステップ２０９を参照してもよく、本発明の実施例では詳細な説明は省略する。
【０１３９】
ステップ４０７において、端末がコンテキスト解放応答に応じて、端末内の関連コンテキストを解放する。
【０１４０】
ステップ４０７は上記ステップ２１０を参照してもよく、本発明の実施例では詳細な説明は省略する。
【０１４１】
ただし、上記実施例に係るコンテキスト解放方法は、ステップの前後順序を適宜調整してもよく、状況に応じて、ステップに対し対応する増減を行ってもよく、当業者が本発明に開示される技術的範囲内に容易に想到し得る方法は、いずれも本発明の保護範囲内に含まれるべきであり、従って、詳細な説明は省略する。
【０１４２】
関連技術において、更にネットワーク側から送信されたページングメッセージに解放指示を直接追加することにより、端末に関連コンテキストを直接解放させて、アイドル状態に入らせることを提案する。そして、本発明の実施例において端末がネットワーク側の関連コンテキスト解放をトリガーする新しい方式を提案し、関連コンテキストの解放の柔軟性を向上させる。
【０１４３】
要するに、本発明の実施例に係るコンテキスト解放方法は、端末によりネットワーク側が関連コンテキストを解放するようにトリガーすることにより、コンテキスト解放過程、特に非アクティブ状態におけるコンテキスト解放過程において、接続状態に切り替えてからアイドル状態に切り替える必要がなく、端末とネットワーク側とのシグナリング交換を効果的に減少させ、シグナリングオーバーヘッドを減少させ、全体的なプロセスを簡素化する。
【０１４４】
本発明の実施例に係るコンテキスト解放機器５０は、図５−１に示すように、
前記端末の関連コンテキストの解放を行うようにネットワーク側に指示するためのコンテキスト解放要求を第１基地局に送信するための送信モジュール５０１を備える。
【０１４５】
要するに、本発明の実施例に係るコンテキスト解放機器は、送信モジュールがネットワーク側の関連コンテキストの解放をトリガーすることにより、コンテキスト解放過程、特に非アクティブ状態におけるコンテキスト解放過程において、接続状態に切り替えてからアイドル状態に切り替える必要がなく、端末とネットワーク側とのシグナリング交換を効果的に減少させ、シグナリングオーバーヘッドを減少させ、全体的なプロセスを簡素化する。
【０１４６】
更に、図５−２に示すように、前記機器５０は、更に、
前記第１基地局から送信されたコンテキスト解放応答を受信するための受信モジュール５０２を備える。
【０１４７】
好ましくは、図５−３に示すように、前記機器５０は、更に、
アプリケーション層又は非アクセス層によって前記端末が非アクティブ状態からアイドル状態に切り替える必要があることを確定するための確定モジュール５０３を備える。
【０１４８】
前記送信モジュール５０１は、具体的に、
アクセス層によって第１基地局へ前記コンテキスト解放要求を送信することに用いられる。
【０１４９】
好ましくは、前記コンテキスト解放要求は、解放指示を含む無線リソース制御（ＲＲＣ）接続確立要求であり、又は、前記コンテキスト解放要求は、解放指示を含むＲＲＣ接続復元要求であり、又は、前記コンテキスト解放要求は、解放指示を含むＲＲＣ接続確立完了メッセージであり、又は、前記コンテキスト解放要求は、解放指示を含むＲＲＣ接続復元完了要求であり、
前記解放指示は前記端末の関連コンテキストの解放を行うようにネットワーク側に指示することに用いられる。
【０１５０】
要するに、本発明の実施例に係るコンテキスト解放機器は、送信モジュールによってネットワーク側の関連コンテキストの解放をトリガーし、コンテキスト解放過程、特に非アクティブ状態におけるコンテキスト解放過程において、接続状態に切り替えてからアイドル状態に切り替える必要がなく、端末とネットワーク側とのシグナリング交換を効果的に減少させ、シグナリングオーバーヘッドを減少させ、全体的なプロセスを簡素化する。
【０１５１】
本発明の実施例に係るコンテキスト解放機器６０は、図６−１に示すように、
端末から送信された、前記端末の関連コンテキストの解放を行うようにネットワーク側に指示するためのコンテキスト解放要求を受信するための受信モジュール６０１を備える。
【０１５２】
要するに、本発明の実施例に係るコンテキスト解放機器は、端末によりネットワーク側が関連コンテキストを解放するようにトリガーすることにより、コンテキスト解放過程、特に非アクティブ状態におけるコンテキスト解放過程において、接続状態に切り替えてからアイドル状態に切り替える必要がなく、端末とネットワーク側とのシグナリング交換を効果的に減少させ、シグナリングオーバーヘッドを減少させ、全体的なプロセスを簡素化する。
【０１５３】
更に、図６−２に示すように、前記機器６０は、更に、
前記コンテキスト解放要求に応じて前記関連コンテキストの保存されるネットワーク側機器が前記関連コンテキストを解放するようにトリガーするためのトリガーモジュール６０２と、
前記端末が前記関連コンテキストを解放するようにトリガーするためのコンテキスト解放応答を前記端末に送信するための送信モジュール６０３と、を備える。
【０１５４】
一態様では、トリガーモジュール６０２は、具体的に、
前記コンテキスト解放要求に応じて、前記関連コンテキストの解放を行うように前記ネットワーク側機器に指示するためのコンテキスト解放指示情報を前記ネットワーク側機器に送信することに用いられ、
送信モジュール６０３は、具体的に、
前記ネットワーク側機器から送信された、前記ネットワーク側機器が前記関連コンテキストの解放を完了したことを示すためのコンテキスト解放完了情報を受信し、
前記コンテキスト解放完了情報に基づいて前記端末へコンテキスト解放応答を送信することに用いられる。
【０１５５】
他の態様では、トリガーモジュール６０２は、具体的に、
前記コンテキスト解放要求に応じて、前記ネットワーク側機器が前記関連コンテキストの解放を行う許可を要求するためのコンテキスト解放許可要求をコア管理機器に送信することに用いられ、
送信モジュール６０３は、具体的に、
前記コア管理機器から送信された、前記ネットワーク側機器が前記関連コンテキストを解放するようにトリガーした後に前記コア管理機器が送信したコンテキスト解放完了情報であって、前記ネットワーク側機器が前記関連コンテキストの解放を完了したことを示すためのコンテキスト解放完了情報を受信し、
前記コンテキスト解放完了情報に基づいて前記端末へコンテキスト解放応答を送信することに用いられる。
【０１５６】
別の態様では、トリガーモジュール６０２は、具体的に、
前記コンテキスト解放要求に応じて、前記ネットワーク側機器が前記関連コンテキストの解放を行う許可を要求するためのコンテキスト解放許可要求をコア管理機器に送信し、
前記コア管理機器から送信された、前記ネットワーク側機器が前記関連コンテキストの解放を行うことを許容することを示すためのコンテキスト解放許可応答を受信し、
前記コンテキスト解放許可応答に応じて、前記関連コンテキストの解放を行うように前記ネットワーク側機器に指示するためのコンテキスト解放指示情報を前記ネットワーク側機器に送信することに用いられ、
送信モジュール６０３は、具体的に、
前記ネットワーク側機器から送信された、前記ネットワーク側機器が前記関連コンテキストの解放を完了したことを示すためのコンテキスト解放完了情報を受信し、
前記コンテキスト解放完了情報に基づいて前記端末へコンテキスト解放応答を送信することに用いられる。
【０１５７】
好ましくは、前記コンテキスト解放要求は、解放指示を含む無線リソース制御（ＲＲＣ）接続確立要求であり、又は、前記コンテキスト解放要求は、解放指示を含むＲＲＣ接続復元要求であり、又は、前記コンテキスト解放要求は、解放指示を含むＲＲＣ接続確立完了メッセージであり、又は、前記コンテキスト解放要求は、解放指示を含むＲＲＣ接続復元完了要求であり、
前記解放指示は前記端末の関連コンテキストの解放を行うようにネットワーク側に指示することに用いられる。
【０１５８】
好ましくは、前記コンテキスト解放要求は、前記第１基地局にアクセスする端末が、前記端末が非アクティブ状態からアイドル状態に切り替える必要があることを確定した後に送信される。
【０１５９】
好ましくは、前記ネットワーク側機器は初期基地局、及び／又は、コアネットワークの管理機器、及び／又は、ネットワーク側中央制御ノードを備え、
前記初期基地局は前記端末が非アクティブ状態に切り替える前に所在するセルに属する基地局である。
【０１６０】
本発明の実施例に係るコンテキスト解放機器７０は、図７−１に示すように、
第１基地局から送信された、前記第１基地局が端末から送信されたコンテキスト解放要求を受信した後に送信したコンテキスト解放許可要求であって、前記端末の関連コンテキストの解放を行うようにネットワーク側に指示するためのコンテキスト解放許可要求を受信するための受信モジュール７０１を備える。
【０１６１】
要するに、本発明の実施例に係るコンテキスト解放機器は、端末によりネットワーク側が関連コンテキストを解放するようにトリガーすることにより、コンテキスト解放過程、特に非アクティブ状態におけるコンテキスト解放過程において、接続状態に切り替えてからアイドル状態に切り替える必要がなく、端末とネットワーク側とのシグナリング交換を効果的に減少させ、シグナリングオーバーヘッドを減少させ、全体的なプロセスを簡素化する。
【０１６２】
一態様では、図７−２に示すように、前記機器は、更に、
前記コンテキスト解放許可要求に応じて、前記関連コンテキストの保存されるネットワーク側機器が前記関連コンテキストを解放するようにトリガーするためのトリガーモジュール７０２と、
前記ネットワーク側機器が前記関連コンテキストを解放した後、前記ネットワーク側機器が前記関連コンテキストの解放を完了したことを示すためのコンテキスト解放完了情報を前記第１基地局に送信する送信モジュール７０３と、を備える。
【０１６３】
前記トリガーモジュール７０２は、具体的に、
前記コンテキスト解放許可要求に応じて、前記関連コンテキストの解放を行うように前記ネットワーク側機器に指示するためのコンテキスト解放指示情報を前記ネットワーク側機器に送信することに用いられ、
前記送信モジュール７０３は、具体的に、
前記ネットワーク側機器から送信された、前記ネットワーク側機器が前記関連コンテキストの解放を完了したことを示すためのコンテキスト解放完了情報を受信し、
前記コンテキスト解放完了情報に基づいて前記第１基地局へコンテキスト解放完了情報を送信することに用いられる。
【０１６４】
他の態様では、図７−３に示すように、前記機器７０は、更に、
前記コンテキスト解放許可要求に応じて、前記ネットワーク側機器が前記関連コンテキストの解放を行うことを許容することを示すためのコンテキスト解放許可応答を生成するための生成モジュール７０４と、
前記第１基地局へ前記コンテキスト解放許可応答を送信するための送信モジュール７０５と、を備える。
【０１６５】
好ましくは、前記コンテキスト解放要求は前記第１基地局により管理されるセル内の端末が非アクティブ状態からアイドル状態に切り替える必要があることを確定した後に送信される。
【０１６６】
好ましくは、前記ネットワーク側機器は初期基地局、及び／又は、コアネットワークの管理機器、及び／又は、ネットワーク側中央制御ノードを備え、
前記初期基地局は前記端末が非アクティブ状態に切り替える前に所在するセルに属する基地局である。
【０１６７】
本発明の実施例に係るコンテキスト解放システムは、
上記図５−１〜図５−３のいずれか１項に記載のコンテキスト解放機器を備えてもよい端末と、
図６−１〜図６−２のいずれか１項に記載のコンテキスト解放機器を備えてもよい第１基地局と、を備える。
【０１６８】
更に、該システムは更に図７−１〜図７−３のいずれか１項に記載のコンテキスト解放機器を備える。
【０１６９】
要するに、本発明の実施例に係るコンテキスト解放システムは、端末によりネットワーク側が関連コンテキストを解放するようにトリガーすることにより、コンテキスト解放過程、特に非アクティブ状態におけるコンテキスト解放過程において、接続状態に切り替えてからアイドル状態に切り替える必要がなく、端末とネットワーク側とのシグナリング交換を効果的に減少させ、シグナリングオーバーヘッドを減少させ、全体的なプロセスを簡素化する。
【０１７０】
図８には本発明の例示的な実施例に係るコンテキスト解放機器１０の構造模式図を示す。該コンテキスト解放機器１０は上記第１基地局１１０、ネットワーク側機器１２０、コア管理機器１３０又は端末１４０であってもよく、該ネットワーク機器１０はプロセッサ１２及びネットワークインターフェース１４を備える。
【０１７１】
プロセッサ１２は１つ又は１つ以上の処理コアを備える。プロセッサ１２はソフトウェアプログラム及びモジュールを実行することにより、様々な機能アプリケーション及びデータ処理を実行する。
【０１７２】
ネットワークインターフェース１４は複数あってもよく、該ネットワークインターフェース１４は他の記憶機器又はネットワーク機器と通信することに用いられる。
【０１７３】
好ましくは、ネットワーク機器１０は更にメモリ１６、バス１８等の部材を備えてもよい。メモリ１６とネットワークインターフェース１４とがそれぞれバス１８を介してプロセッサ１２に接続される。
【０１７４】
メモリ１６はソフトウェアプログラム及びモジュールを記憶することに用いられてもよい。具体的に、メモリ１６はオペレーティングシステム１６２、少なくとも１つの機能に必要なアプリケーションプログラムモジュール１６４を記憶することができる。オペレーティングシステム１６２はリアルタイムオペレーティングシステム（ＲＴＸ：Ｒｅａｌ  Ｔｉｍｅ  ｅＸｅｃｕｔｉｖｅ）、ＬＩＮＵＸ、ＵＮＩＸ、ＷＩＮＤＯＷＳ又はＯＳ  Ｘのようなオペレーティングシステムであってもよい。
【０１７５】
いくつかの実施形態において、コンテキスト解放機器１０が第１基地局である場合、ネットワークインターフェース１４が送受信アンテナ（送信機及び受信機として見なされてもよい）であってもよく、メモリ１６に記憶されるアプリケーションプログラムモジュール１６４は上記ステップ２０３、ステップ２０６、ステップ２０９、ステップ３０３、ステップ３０６、ステップ４０３又はステップ４０６等のステップを実行することができ、
コンテキスト解放機器１０が端末である場合、ネットワークインターフェース１４が送受信アンテナ（送信機及び受信機として見なされてもよい）であってもよく、メモリ１６に記憶されるアプリケーションプログラムモジュール１６４は上記ステップ２０１、ステップ２０２、ステップ２１０、ステップ３０１、ステップ３０２、ステップ３０７、ステップ４０１、ステップ４０２又はステップ４０７等のステップを実行することができ、
コンテキスト解放機器１０がコア管理機器である場合、メモリ１６に記憶されるアプリケーションプログラムモジュール１６４は上記ステップ２０４、ステップ２０２、ステップ２１０、ステップ３０４、ステップ３０５等のステップを実行することができる。
【０１７６】
当業者であれば、説明を容易且つ簡潔にするために、上記説明されるシステム、機器及びモジュールの具体的な動作過程は、上記方法実施例における対応過程を参照してもよく、ここで詳細な説明は省略すると明確に理解される。
【０１７７】
本発明の実施例における用語「及び／又は」は、関連オブジェクトを説明する関連関係に過ぎず、３つの関係が存在してもよいことを示し、例えば、「Ａ及び／又はＢ」は「Ａが独立して存在する」「ＡとＢが同時に存在する」「Ｂが独立して存在する」の３つの状況を示してもよい。また、本明細書における文字「／」は一般的に前後関連オブジェクトが「又は」関係であることを示す。
【０１７８】
当業者であれば、上記実施例を実現するステップのすべて又は一部はハードウェアによって完了してもよいし、プログラムによって関連するハードウェアを命令して完了させてもよく、前記プログラムがコンピュータ可読記憶媒体に記憶されてもよく、上記言及された記憶媒体は読み出し専用メモリ、磁気ディスク又は光ディスク等であってもよいと理解される。
【０１７９】
以上の説明は本発明の好適な実施例に過ぎず、本発明を限定するためのものではなく、本発明の趣旨及び原則を逸脱せずに行ったいかなる修正、等価置換、改良等は、いずれも本発明の保護範囲内に含まれるべきである。
【図１】
2020504956.tif 000003
【図２−１】
2020504956.tif 000004
【図２−２】
2020504956.tif 000005
【図３−１】
2020504956.tif 000006
【図３−２】
2020504956.tif 000007
【図３−３】
2020504956.tif 000008
【図４】
2020504956.tif 000009
【図５−１】
2020504956.tif 000010
【図５−２】
2020504956.tif 000011
【図５−３】
2020504956.tif 000012
【図６−１】
2020504956.tif 000013
【図６−２】
2020504956.tif 000014
【図７−１】
2020504956.tif 000015
【図７−２】
2020504956.tif 000016
【図７−３】
2020504956.tif 000017
【図８】
2020504956.tif 000018
【手続補正書】
【提出日】令和1年12月5日(2019.12.5)
【手続補正１】
【補正対象書類名】明細書
【補正対象項目名】全文
【補正方法】変更
【補正の内容】
【発明の詳細な説明】
【技術分野】
【０００１】
本開示は通信技術応用分野に関し、特にコンテキスト解放方法、機器及びシステムに関する。
【背景技術】
【０００２】
社会の発展及び技術の進歩に伴い、ユーザーのモバイル端末のアクセス技術への要求が高まっている。第４世代移動通信技術（４Ｇ：４ｒｄ−Ｇｅｎｅｒａｔｉｏｎ）における移動通信システムのロングタームエボリューション（ＬＴＥ：Ｌｏｎｇ  Ｔｅｒｍ  Ｅｖｏｌｕｔｉｏｎ）システム及び５Ｇ移動通信システムにおいて、よく知られているアイドル（ｉｄｌｅ）状態及び接続（ｃｏｎｎｅｃｔｅｄ）状態以外に、非アクティブ（ｉｎａｃｔｉｖｅ）状態が導入される。非アクティブ状態において、端末はそれのアイドル状態時のモビリティ管理方式で、ハンドオーバーの測定を行う必要とせず、一定のエリア範囲内のセルの間で移動でき、それと同時に、端末は初期基地局との関連コンテキストが接続状態時と同じであり、該関連コンテキストがそれぞれ端末及びネットワーク側に保存され（ネットワーク側では少なくとも初期基地局に保存されている）、初期基地局は、端末が非アクティブ状態に切り替える前に所在するセルに属する基地局である。
【０００３】
現在、ネットワーク側は、端末が非アクティブ状態からアイドル状態に切り替えることが必要である場合、ページングメッセージによって端末を非アクティブ状態から接続状態に切り替えるように制御することができ、更に無線リソース制御（ＲＲＣ：Ｒａｄｉｏ  Ｒｅｓｏｕｒｃｅ  Ｃｏｎｔｒｏｌ）接続解放メッセージによって端末を接続状態からアイドル状態に切り替えるように制御して、端末と初期基地局との関連コンテキスト（Ｃｏｎｔｅｘｔ）を解放し、それに対応して、ネットワーク側も保存されている関連コンテキストを解放する。
【０００４】
しかしながら、上記非アクティブ状態におけるコンテキスト解放方法では、ネットワーク側と端末とが多くのメッセージを交換しなければコンテキストの解放を実現できず、このため、全体的なプロセスが複雑である。
【発明の概要】
【発明が解決しようとする課題】
【０００５】
従来のコンテキスト解放プロセスが複雑である問題を解決するために、本発明はコンテキスト解放方法、機器及びシステムを提供する。前記技術案は以下のとおりである。
【課題を解決するための手段】
【０００６】
第１態様に係るコンテキスト解放方法であって、
端末は前記端末の関連コンテキストの解放を行うようにネットワーク側に指示するためのコンテキスト解放要求を第１基地局に送信する。
【０００７】
好ましくは、前記端末が第１基地局へコンテキスト解放要求を送信した後、前記方法は、更に、
前記端末が前記第１基地局から送信されたコンテキスト解放応答を受信することを含む。
【０００８】
好ましくは、前記端末が第１基地局へコンテキスト解放要求を送信する前に、前記方法は、更に、
前記端末のアプリケーション層又は非アクセス層が前記端末が非アクティブ状態からアイドル状態に切り替える必要があることを確定することを含む。
【０００９】
好ましくは、前記端末が第１基地局へコンテキスト解放要求を送信することは、
前記端末がアクセス層によって第１基地局へ前記コンテキスト解放要求を送信することを含む。
【００１０】
好ましくは、前記コンテキスト解放要求は、解放指示を含む無線リソース制御（ＲＲＣ）接続確立要求であり、又は、前記コンテキスト解放要求は、解放指示を含むＲＲＣ接続復元要求であり、又は、前記コンテキスト解放要求は、解放指示を含むＲＲＣ接続確立完了メッセージであり、又は、前記コンテキスト解放要求は、解放指示を含むＲＲＣ接続復元完了要求であり、
前記解放指示は前記端末の関連コンテキストの解放を行うようにネットワーク側に指示することに用いられる。
【００１１】
第２態様に係るコンテキスト解放方法であって、
第１基地局は端末から送信された、前記端末の関連コンテキストの解放を行うようにネットワーク側に指示するためのコンテキスト解放要求を受信することを含む。
【００１２】
好ましくは、前記第１基地局が端末から送信されたコンテキスト解放要求を受信した後、前記方法は、更に、
前記第１基地局が前記コンテキスト解放要求に応じて前記関連コンテキストの保存されるネットワーク側機器が前記関連コンテキストを解放するようにトリガーすることと、
前記第１基地局が前記端末が前記関連コンテキストを解放するようにトリガーするためのコンテキスト解放応答を前記端末に送信することと、を含む。
【００１３】
好ましくは、前記第１基地局が前記コンテキスト解放要求に応じて前記関連コンテキストの保存されるネットワーク側機器が前記関連コンテキストを解放するようにトリガーすることは、
前記第１基地局が前記コンテキスト解放要求に応じて、前記関連コンテキストの解放を行うように前記ネットワーク側機器に指示するためのコンテキスト解放指示情報を前記ネットワーク側機器に送信することを含み、
前記第１基地局が前記端末へコンテキスト解放応答を送信することは、
前記第１基地局が前記ネットワーク側機器から送信された、前記ネットワーク側機器が前記関連コンテキストの解放を完了したことを示すためのコンテキスト解放完了情報を受信することと、
前記第１基地局が前記コンテキスト解放完了情報に基づいて前記端末へコンテキスト解放応答を送信することと、を含む。
【００１４】
好ましくは、前記第１基地局が前記コンテキスト解放要求に応じて前記関連コンテキストの保存されるネットワーク側機器が前記関連コンテキストを解放するようにトリガーすることは、
前記第１基地局が前記コンテキスト解放要求に応じて、前記ネットワーク側機器が前記関連コンテキストの解放を行う許可を要求するためのコンテキスト解放許可要求をコア管理機器に送信することを含み、
前記第１基地局が前記端末へコンテキスト解放応答を送信することは、
前記第１基地局が前記コア管理機器から送信された、前記ネットワーク側機器が前記関連コンテキストを解放するようにトリガーした後に前記コア管理機器が送信したコンテキスト解放完了情報であって、前記ネットワーク側機器が前記関連コンテキストの解放を完了したことを示すためのコンテキスト解放完了情報を受信することと、
前記第１基地局が前記コンテキスト解放完了情報に基づいて前記端末へコンテキスト解放応答を送信することと、を含む。
【００１５】
好ましくは、前記第１基地局が前記コンテキスト解放要求に応じて前記関連コンテキストの保存されるネットワーク側機器が前記関連コンテキストを解放するようにトリガーすることは、
前記第１基地局が前記コンテキスト解放要求に応じて、前記ネットワーク側機器が前記関連コンテキストの解放を行う許可を要求するためのコンテキスト解放許可要求をコア管理機器に送信することと、
前記第１基地局が前記コア管理機器から送信された、前記ネットワーク側機器が前記関連コンテキストの解放を行うことを許容することを示すためのコンテキスト解放許可応答を受信することと、
前記第１基地局が前記コンテキスト解放許可応答に応じて、前記関連コンテキストの解放を行うように前記ネットワーク側機器に指示するためのコンテキスト解放指示情報を前記ネットワーク側機器に送信することと、を含み、
前記第１基地局が前記端末へコンテキスト解放応答を送信することは、
前記第１基地局が前記ネットワーク側機器から送信された、前記ネットワーク側機器が前記関連コンテキストの解放を完了したことを示すためのコンテキスト解放完了情報を受信することと、
前記第１基地局が前記コンテキスト解放完了情報に基づいて前記端末へコンテキスト解放応答を送信することと、を含む。
【００１６】
好ましくは、前記コンテキスト解放要求は、解放指示を含む無線リソース制御（ＲＲＣ）接続確立要求であり、又は、前記コンテキスト解放要求は、解放指示を含むＲＲＣ接続復元要求であり、又は、前記コンテキスト解放要求は、解放指示を含むＲＲＣ接続確立完了メッセージであり、又は、前記コンテキスト解放要求は、解放指示を含むＲＲＣ接続復元完了要求であり、
前記解放指示は前記端末の関連コンテキストの解放を行うようにネットワーク側に指示することに用いられる。
【００１７】
好ましくは、前記コンテキスト解放要求は、前記第１基地局にアクセスする端末が、前記端末が非アクティブ状態からアイドル状態に切り替える必要があることを確定した後に送信される。
【００１８】
好ましくは、前記ネットワーク側機器は初期基地局、及び／又は、コアネットワークの管理機器、及び／又は、ネットワーク側中央制御ノードを備え、
前記初期基地局は前記端末が非アクティブ状態に切り替える前に所在するセルに属する基地局である。
【００１９】
第３態様に係るコンテキスト解放方法であって、
コア管理機器は第１基地局から送信された、前記第１基地局が端末から送信されたコンテキスト解放要求を受信した後に送信したコンテキスト解放許可要求であって、前記端末の関連コンテキストの解放を行うようにネットワーク側に指示するためのコンテキスト解放許可要求を受信することを含む。
【００２０】
好ましくは、前記コア管理機器が第１基地局から送信されたコンテキスト解放許可要求を受信した後、前記方法は、更に、
前記コア管理機器が前記コンテキスト解放許可要求に応じて、前記関連コンテキストの保存されるネットワーク側機器が前記関連コンテキストを解放するようにトリガーすることと、
前記コア管理機器が前記ネットワーク側機器が前記関連コンテキストを解放した後、前記ネットワーク側機器が前記関連コンテキストの解放を完了したことを示すためのコンテキスト解放完了情報を前記第１基地局に送信することと、を含む。
【００２１】
好ましくは、前記コア管理機器が前記コンテキスト解放許可要求に応じて、前記関連コンテキストの保存されるネットワーク側機器が前記関連コンテキストを解放するようにトリガーすることは、
前記コア管理機器が前記コンテキスト解放許可要求に応じて、前記関連コンテキストの解放を行うように前記ネットワーク側機器に指示するためのコンテキスト解放指示情報を前記ネットワーク側機器に送信することを含み、
前記コア管理機器が前記ネットワーク側機器が前記関連コンテキストを解放した後、前記第１基地局へコンテキスト解放完了情報を送信することは、
前記コア管理機器が前記ネットワーク側機器から送信された、前記ネットワーク側機器が前記関連コンテキストの解放を完了したことを示すためのコンテキスト解放完了情報を受信することと、
前記コア管理機器が前記コンテキスト解放完了情報に基づいて前記第１基地局へコンテキスト解放完了情報を送信することと、を含む。
【００２２】
好ましくは、前記コア管理機器が第１基地局から送信されたコンテキスト解放許可要求を受信した後、前記方法は、更に、
前記コア管理機器が前記コンテキスト解放許可要求に応じて、前記関連コンテキストの保存されるネットワーク側機器が前記関連コンテキストの解放を行うことを許容することを示すためのコンテキスト解放許可応答を生成することと、
前記コア管理機器が前記第１基地局へ前記コンテキスト解放許可応答を送信することと、を含む。
【００２３】
好ましくは、前記コンテキスト解放要求は前記第１基地局により管理されるセル内の端末が非アクティブ状態からアイドル状態に切り替える必要があることを確定した後に送信される。
【００２４】
好ましくは、前記ネットワーク側機器は初期基地局、及び／又は、コアネットワークの管理機器、及び／又は、ネットワーク側中央制御ノードを備え、
前記初期基地局は前記端末が非アクティブ状態に切り替える前に所在するセルに属する基地局である。
【００２５】
第４態様に係るコンテキスト解放機器であって、
前記端末の関連コンテキストの解放を行うようにネットワーク側に指示するためのコンテキスト解放要求を第１基地局に送信するための送信モジュールを備える。
【００２６】
好ましくは、前記機器は、更に、前記第１基地局から送信されたコンテキスト解放応答を受信するための受信モジュールを備える。
【００２７】
好ましくは、前記機器は、更に、
アプリケーション層又は非アクセス層によって前記端末が非アクティブ状態からアイドル状態に切り替える必要があることを確定するための確定モジュールを備える。
【００２８】
好ましくは、前記送信モジュールは、具体的に、
アクセス層によって第１基地局へ前記コンテキスト解放要求を送信することに用いられる。
【００２９】
好ましくは、前記コンテキスト解放要求は、解放指示を含む無線リソース制御（ＲＲＣ）接続確立要求であり、又は、前記コンテキスト解放要求は、解放指示を含むＲＲＣ接続復元要求であり、又は、前記コンテキスト解放要求は、解放指示を含むＲＲＣ接続確立完了メッセージであり、又は、前記コンテキスト解放要求は、解放指示を含むＲＲＣ接続復元完了要求であり、
前記解放指示は前記端末の関連コンテキストの解放を行うようにネットワーク側に指示することに用いられる。
【００３０】
第５態様に係るコンテキスト解放機器であって、
端末から送信された、前記端末の関連コンテキストの解放を行うようにネットワーク側に指示するためのコンテキスト解放要求を受信するための受信モジュールを備える。
【００３１】
好ましくは、前記機器は、更に、
前記コンテキスト解放要求に応じて前記関連コンテキストの保存されるネットワーク側機器が前記関連コンテキストを解放するようにトリガーするためのトリガーモジュールと、
前記端末が前記関連コンテキストを解放するようにトリガーするためのコンテキスト解放応答を前記端末に送信するための送信モジュールと、を備える。
【００３２】
好ましくは、トリガーモジュールは、具体的に、
前記コンテキスト解放要求に応じて、前記関連コンテキストの解放を行うように前記ネットワーク側機器に指示するためのコンテキスト解放指示情報を前記ネットワーク側機器に送信することに用いられ、
送信モジュールは、具体的に、
前記ネットワーク側機器から送信された、前記ネットワーク側機器が前記関連コンテキストの解放を完了したことを示すためのコンテキスト解放完了情報を受信し、
前記コンテキスト解放完了情報に基づいて前記端末へコンテキスト解放応答を送信することに用いられる。
【００３３】
好ましくは、トリガーモジュールは、具体的に、
前記コンテキスト解放要求に応じて、前記ネットワーク側機器が前記関連コンテキストの解放を行う許可を要求するためのコンテキスト解放許可要求をコア管理機器に送信することに用いられ、
送信モジュールは、具体的に、
前記コア管理機器から送信された、前記ネットワーク側機器が前記関連コンテキストを解放するようにトリガーした後に前記コア管理機器が送信したコンテキスト解放完了情報であって、前記ネットワーク側機器が前記関連コンテキストの解放を完了したことを示すためのコンテキスト解放完了情報を受信し、
前記コンテキスト解放完了情報に基づいて前記端末へコンテキスト解放応答を送信することに用いられる。
【００３４】
好ましくは、トリガーモジュールは、具体的に、
前記コンテキスト解放要求に応じて、前記ネットワーク側機器が前記関連コンテキストの解放を行う許可を要求するためのコンテキスト解放許可要求をコア管理機器に送信し、
前記コア管理機器から送信された、前記ネットワーク側機器が前記関連コンテキストの解放を行うことを許容することを示すためのコンテキスト解放許可応答を受信し、
前記コンテキスト解放許可応答に応じて、前記関連コンテキストの解放を行うように前記ネットワーク側機器に指示するためのコンテキスト解放指示情報を前記ネットワーク側機器に送信することに用いられ、
送信モジュールは、具体的に、
前記ネットワーク側機器から送信された、前記ネットワーク側機器が前記関連コンテキストの解放を完了したことを示すためのコンテキスト解放完了情報を受信し、
前記コンテキスト解放完了情報に基づいて前記端末へコンテキスト解放応答を送信することに用いられる。
【００３５】
好ましくは、前記コンテキスト解放要求は、解放指示を含む無線リソース制御（ＲＲＣ）接続確立要求であり、又は、前記コンテキスト解放要求は、解放指示を含むＲＲＣ接続復元要求であり、又は、前記コンテキスト解放要求は、解放指示を含むＲＲＣ接続確立完了メッセージであり、又は、前記コンテキスト解放要求は、解放指示を含むＲＲＣ接続復元完了要求であり、
前記解放指示は前記端末の関連コンテキストの解放を行うようにネットワーク側に指示することに用いられる。
【００３６】
好ましくは、前記コンテキスト解放要求は、前記第１基地局にアクセスする端末が、前記端末が非アクティブ状態からアイドル状態に切り替える必要があることを確定した後に送信される。
【００３７】
好ましくは、前記ネットワーク側機器は初期基地局、及び／又は、コアネットワークの管理機器、及び／又は、ネットワーク側中央制御ノードを備え、
前記初期基地局は前記端末が非アクティブ状態に切り替える前に所在するセルに属する基地局である。
【００３８】
第６態様に係るコンテキスト解放機器であって、
第１基地局から送信された、前記第１基地局が端末から送信されたコンテキスト解放要求を受信した後に送信したコンテキスト解放許可要求であって、前記端末の関連コンテキストの解放を行うようにネットワーク側に指示するためのコンテキスト解放許可要求を受信するための受信モジュールを備える。
【００３９】
好ましくは、前記機器は、更に、
前記コンテキスト解放許可要求に応じて、前記関連コンテキストの保存されるネットワーク側機器が前記関連コンテキストを解放するようにトリガーするためのトリガーモジュールと、
前記ネットワーク側機器が前記関連コンテキストを解放した後、前記ネットワーク側機器が前記関連コンテキストの解放を完了したことを示すためのコンテキスト解放完了情報を前記第１基地局に送信するための送信モジュールと、を備える。
【００４０】
好ましくは、前記トリガーモジュールは、具体的に、
前記コンテキスト解放許可要求に応じて、前記関連コンテキストの解放を行うように前記ネットワーク側機器に指示するためのコンテキスト解放指示情報を前記ネットワーク側機器に送信することに用いられ、
前記送信モジュールは、具体的に、
前記ネットワーク側機器から送信された、前記ネットワーク側機器が前記関連コンテキストの解放を完了したことを示すためのコンテキスト解放完了情報を受信し、
前記コンテキスト解放完了情報に基づいて前記第１基地局へコンテキスト解放完了情報を送信することに用いられる。
【００４１】
好ましくは、前記機器は、更に、
前記コンテキスト解放許可要求に応じて、前記関連コンテキストの保存されるネットワーク側機器が前記関連コンテキストの解放を行うことを許容することを示すためのコンテキスト解放許可応答を生成するための生成モジュールと、
前記第１基地局へ前記コンテキスト解放許可応答を送信するための送信モジュールと、を備える。
【００４２】
好ましくは、前記コンテキスト解放要求は前記第１基地局により管理されるセル内の端末が非アクティブ状態からアイドル状態に切り替える必要があることを確定した後に送信される。
【００４３】
好ましくは、前記ネットワーク側機器は初期基地局、及び／又は、コアネットワークの管理機器、及び／又は、ネットワーク側中央制御ノードを備え、
前記初期基地局は前記端末が非アクティブ状態に切り替える前に所在するセルに属する基地局である。
【００４４】
第７態様に係るコンテキスト解放システムであって、
第４態様のいずれか１項に記載のコンテキスト解放機器を備える端末と、
第５態様のいずれか１項に記載のコンテキスト解放機器を備える第１基地局と、を備える。
【００４５】
好ましくは、前記システムは更に第６態様のいずれか１項に記載のコンテキスト解放機器を備える。
【発明の効果】
【００４６】
本発明の実施例に係るコンテキスト解放方法、機器及びシステムは、端末によりネットワーク側が関連コンテキストを解放するようにトリガーすることにより、コンテキスト解放過程、特に非アクティブ状態におけるコンテキスト解放過程において、接続状態に切り替えてからアイドル状態に切り替える必要がなく、端末とネットワーク側とのシグナリング交換を効果的に減少させ、シグナリングオーバーヘッドを減少させ、全体的なプロセスを簡素化する。
【００４７】
以上の一般的な説明及び以下の詳細な説明は例示的及び解釈的なものに過ぎず、本発明を限定するためのものではないと理解すべきである。
【図面の簡単な説明】
【００４８】
【図１】図１は本発明の一部の実施例に係るコンテキスト解放方法に関わるコンテキスト解放システムの実施環境の模式図である。
【図２−１】図２−１は本発明の実施例に係るコンテキスト解放方法のフローチャートである。
【図２−２】図２−２は本発明の実施例に係る端末と第１基地局とがＲＲＣ接続を確立する方法のフローチャートである。
【図３−１】図３−１は本発明の実施例に係る他のコンテキスト解放方法のフローチャートである。
【図３−２】図３−２は本発明の実施例に係るコア管理機器がネットワーク側機器の関連コンテキストの解放をトリガーするフローチャートである。
【図３−３】図３−３は本発明の実施例に係るコア管理機器が第１基地局へコンテキスト解放完了情報を送信するフローチャートである。
【図４】図４は本発明の実施例に係る別のコンテキスト解放方法のフローチャートである。
【図５−１】図５−１は本発明の例示的な一実施例に係るコンテキスト解放機器のブロック図である。
【図５−２】図５−２は本発明の例示的な一実施例に係る他のコンテキスト解放機器のブロック図である。
【図５−３】図５−３は本発明の例示的な一実施例に係る別のコンテキスト解放機器のブロック図である。
【図６−１】図６−１は本発明の例示的な他の実施例に係るコンテキスト解放機器のブロック図である。
【図６−２】図６−２は本発明の例示的な他の実施例に係る他のコンテキスト解放機器のブロック図である。
【図７−１】図７−１は本発明の例示的な別の実施例に係るコンテキスト解放機器のブロック図である。
【図７−２】図７−２は本発明の例示的な別の実施例に係る他のコンテキスト解放機器のブロック図である。
【図７−３】図７−３は本発明の例示的な別の実施例に係る別のコンテキスト解放機器のブロック図である。
【図８】図８は本発明の例示的な一実施例に係るコンテキスト解放機器の構造模式図である。
【発明を実施するための形態】
【００４９】
本発明の実施例の技術案をより明確に説明するために、以下に実施例の記述において必要な図面を用いて簡単に説明を行うが、当然ながら、以下に記載する図面は単に本発明の実施例の一例であって、当業者であれば、創造的な労力を要することなく、これらの図面に基づいて他の図面に想到しうる。
【００５０】
上記図面によって、本発明の明確な実施例を示したが、以下に更に詳しく説明する。これらの図面及び文字説明はいかなる方式で本発明の構想の範囲を限定するためのものではなく、特定の実施例を参照して当業者のために本発明の概念を説明するためのものである。
【００５１】
本発明の目的、技術案及び利点を明らかにするために、以下に図面を参照しながら本発明の実施形態を更に詳しく説明する。
【００５２】
図１には本発明の一部の実施例に係るコンテキスト解放方法に関わるコンテキスト解放システムの実施環境の模式図を示す。該コンテキスト解放システムはＬＴＥシステム又は５Ｇ移動通信システム、又は様々な移動通信システムが共に存在するヘテロジニアスネットワーク（ｈｅｔｅｒｏｇｅｎｅｏｕｓ  ｎｅｔｗｏｒｋ）等であってもよく、該実施環境は第１基地局１１０、ネットワーク側機器１２０、コア管理機器１３０及び端末１４０を含んでもよい。端末１４０と第１基地局１１０とが通信でき、第１基地局１１０がそれぞれネットワーク側機器１２０及びコア管理機器１３０と通信でき、ネットワーク側機器１２０とコア管理機器１３０とが通信できる。
【００５３】
本発明の実施例では、ネットワーク側機器１２０は基地局、及び／又は、コアネットワークの管理機器（例えば、ＬＴＥにおけるＭＭＥ）、及び／又は、ネットワーク側中央制御ノードを備えてもよく、上記基地局は少なくとも初期基地局を含み、該初期基地局は端末が非アクティブ状態に切り替える前に所在するセルに属する基地局である。コア管理機器１３０は１台のサーバ、又は複数台のサーバからなるサーバクラスタ、又は１つのクラウドコンピューティングサービスセンターであってもよく、本発明の実施例ではコア管理機器は１つの一般化された概念であってもよく、それは１つの管理機器であってもよく、１つの管理機器クラスタであってもよく、更に複数の管理機器クラスタであってもよく、例示的に、ＬＴＥシステムでは、該コア管理機器は１つのＭＭＥであってもよく、１つのＭＭＥクラスタであってもよく、更に複数のＭＭＥクラスタであってもよく、該コア管理機器１３０は第１基地局１１０及び／又はネットワーク側機器１２０を管理できる。端末１４０はスマートフォン、コンピュータ、マルチメディアプレーヤー、電子リーダー、ウェアラブルデバイス等であってもよい。ネットワーク側機器１２０及び端末１４０に端末の関連コンテキストが保存され、該関連コンテキストは端末に関連する部分又はすべてのコンテキストであってもよい。該関連コンテキストは端末に関連する現在のベアラ情報、サービス品質（ＱｏＳ：Ｑｕａｌｉｔｙ  ｏｆ  Ｓｅｒｖｉｃｅ）情報及びセキュリティコンテキスト等を含んでもよく、例えば、セキュリティコンテキストはネットワークキー及び非アクセス層（ＮＡＳ：Ｎｏｎ−Ａｃｃｅｓｓ  Ｓｔｒａｔｕｍ）シリアル番号等を含んでもよい。
【００５４】
上記実施環境において、コア管理機器１３０及び第１基地局１１０が異なる移動通信システムで代表された機器は異なり、例えば、ＬＴＥシステムにおいて、コア管理機器１３０はコアネットワークの１つ又は複数のモビリティ管理エンティティ（ＭＭＥ：Ｍｏｂｉｌｉｔｙ  Ｍａｎａｇｅｍｅｎｔ  Ｅｎｔｉｔｙ）であってもよく、第１基地局１１０は発展型基地局（ｅＮＢ：Ｅｖｏｌｖｅｄ  Ｎｏｄｅ  Ｂ）であってもよく、５Ｇ移動通信システムがコアネットワークの１つ又は複数の管理機器である場合、第１基地局１１０が次世代基地局（ｇＮＢ：ｇｅｎｅｒａｔｉｏｎ  Ｎｏｄｅ  Ｂ）である。
【００５５】
上記実施環境において、端末は一般的にアイドル状態、接続状態及び非アクティブ状態の３つの状態があり、アイドル状態とは、端末が電源オンしたが、無線ネットワークと無線リソース制御（ＲＲＣ：Ｒａｄｉｏ  Ｒｅｓｏｕｒｃｅ  Ｃｏｎｔｒｏｌ）接続を確立していない時にある状態を意味し、接続状態とは、端末が電源オンしたが、無線ネットワークと無線リソース制御（ＲＲＣ：Ｒａｄｉｏ  Ｒｅｓｏｕｒｃｅ  Ｃｏｎｔｒｏｌ）接続を確立している時にある状態を意味し、非アクティブ状態がアイドル状態と接続状態との間に介在し、非アクティブ状態において、端末のモビリティ管理方式がアイドル状態と同じであり、端末及び初期基地局の関連コンテキストが接続状態時と同じである。
【００５６】
本発明の実施例では、端末１４０が現在非アクティブ状態にあると仮定し、それが該非アクティブ状態に切り替える前に該端末の関連コンテキストの保存されるネットワーク側機器が上記ネットワーク側機器１２０であり、非アクティブ状態にある端末が一定のエリア範囲内（ネットワーク側に予め設定された１つの範囲であってもよい）のセルの間で移動できるため、端末１４０の現在所在するセルが第１基地局１１０（該第１基地局１１０が初期基地局であってもよいし、初期基地局でなくてもよく、本発明の実施例は限定しない）に属すると仮定し、端末が該端末が非アクティブ状態からアイドル状態に切り替える必要があることを確定した後、端末１４０はネットワーク側がコンテキスト解放プロセスを実行するように能動的にトリガーすることで、端末のコンテキストの記憶されるネットワーク側機器１２０に関連コンテキストの解放を行わせることができる。具体的に、端末は、端末の関連コンテキストの解放を行うようにネットワーク側に指示するためのコンテキスト解放要求を第１基地局に送信し、第１基地局はコンテキスト解放要求に応じてネットワーク側機器の関連コンテキストの解放をトリガーして、ネットワーク側機器が関連コンテキストを解放した後、端末にコンテキスト解放応答をフィードバックし、端末は第１基地局から送信されたコンテキスト解放応答を受信した後、端末内の関連コンテキストを解放することができる。
【００５７】
本発明の実施例では、端末はコンテキスト解放要求を送信することにより、第１基地局によってコンテキスト解放要求に応じてネットワーク側機器の関連コンテキストの解放をトリガーしてもよく、第１基地局はコア管理機器の許容を得てからネットワーク側機器の関連コンテキストの解放をトリガーしてもよく、コア管理機器によってネットワーク側機器の関連コンテキストの解放を間接的にトリガーしてもよく、更にネットワーク側機器の関連コンテキストの解放を直接トリガーしてもよい。本発明の実施例は以下のいくつかの態様を例として説明する。
【００５８】
第１態様として、第１基地局はコア管理機器の許容を得てからネットワーク側機器の関連コンテキストの解放をトリガーしてもよく、図２−１に示すように、具体的に以下のステップを含む。
【００５９】
ステップ２０１において、端末は、端末が非アクティブ状態からアイドル状態に切り替える必要があることを確定する。
【００６０】
本発明の実施例では、端末の上位層、例えばアプリケーション層（Ａｐｐｌｉｃａｔｉｏｎ  Ｌａｙｅｒ）又は非アクセス層は端末が非アクティブ状態からアイドル状態に切り替える必要があることを確定することができる。
【００６１】
アプリケーション層は、ユーザーとやり取りする上位層（すなわち、アプリケーション層がユーザーに面するものである）として、その主なタスクはユーザーのアプリケーションプロセスにサービスを直接提供することである。アプリケーション層はアプリケーションプロセスが通信時に従うべきであるプロトコルを規定することができる。アプリケーション層の管理下の各アプリケーションプログラムはいずれもその自体のプロセスにおいて実行しており、一般的にいずれも１つの独立した仮想マシンを有する。
【００６２】
プロトコルスタックにおいて、非アクセス層のプロセスは端末（ユーザー機器（ＵＥ：Ｕｓｅｒ  Ｅｑｕｉｐｍｅｎｔ）とも称される）及びコアネットワーク（ＣＮ：ｃｏｒｅ  ｎｅｔｗｏｒｋ）が処理すべきシグナリングプロセスである。ＲＲＣ及び無線アクセスネットワークアプリケーション部（ＲＡＮＡＰ：Ｒａｄｉｏ  Ａｃｃｅｓｓ  Ｎｅｔｗｏｒｋ  Ａｐｐｌｉｃａｔｉｏｎ  Ｐａｒｔ）層及びそれ以下のプロトコル層はアクセス層（ＡＳ：Ａｃｃｅｓｓ  Ｓｔｒａｔｕｍ）と称され、それら以上のモビリティ管理（ＭＭ：Ｍｏｂｉｌｅ  Ｍａｎａｇｅｍｅｎｔ）、呼制御（ＣＣ：Ｃａｌｌ  Ｃｏｎｔｒｏｌ）及びショートメッセージサービス（ＳＭＳ：Ｓｈｏｒｔ  Ｍｅｓｓａｇｅ  Ｓｅｒｖｉｃｅ）等はＮＡＳと称される。
【００６３】
本発明の実施例では、アプリケーション層は端末におけるネットワークアプリケーション（すなわち、ネットワーク側と交換すべきアプリケーション、例えばインスタントメッセージングアプリケーション）の実行状態を検出し（具体的に、該アプリケーションのプロセスを監視することができる）、該実行状態に応じて端末が非アクティブ状態からアイドル状態に切り替える必要があることを確定することができ、例えば、端末には少なくとも１つのネットワークアプリケーションが起動状態にある場合、アプリケーション層は端末が非アクティブ状態からアイドル状態に切り替えることを確定することができ、端末におけるすべてのネットワークアプリケーションが停止状態にある場合、アプリケーション層は端末が非アクティブ状態からアイドル状態に切り替える必要があることを確定することができる。
【００６４】
例示的に、具体的なシーンは以下のとおりであってもよい。つまり、端末が非アクティブ状態にあるとき、アプリケーション層が現在端末が何かしらのネットワークアプリケーション、例えばウェブブラウザを起動していると感知した場合、プリセットのルールに従って、アプリケーション層は、ユーザーが該何かしらのネットワークアプリケーションを操作しており、これから端末がネットワーク側と、対応するユーザーの操作に応答するためのデータ伝送する可能性があることを見なしてもよく、この場合、アプリケーション層は該端末がこれからデータ伝送する必要がある可能性があることを確定する。その理由として、端末が非アクティブ状態を維持すればよく、端末が非アクティブ状態からアイドル状態に切り替える必要がない。データ伝送する必要があるとき、接続状態に切り替えてもよいためである。アプリケーション層は現在端末が何かしらのネットワークアプリケーション、例えばウェブブラウザを停止したことを感知する場合、プリセットのルールに従って、アプリケーション層は、ユーザーが該何かしらのネットワークアプリケーションをもう操作せず、これから端末がネットワーク側とユーザーの操作に応答するためのデータ伝送をしなくてもよいことを見してもよく、この場合、アプリケーション層は該端末がこれからデータ伝送する必要がない可能性があることを確定し、従って、端末は非アクティブ状態からアイドル状態に切り替えることができ、それによって端末とネットワーク側との接続を切断することができ、端末のエネルギー消費量を減少させる。
【００６５】
非アクセス層は端末におけるＮＡＳシグナリングの送受信状態を検出して、該送受信状態に応じて端末が非アクティブ状態からアイドル状態に切り替える必要があるかどうかを確定することができ、例えば、端末には少なくとも１つのＮＡＳシグナリングが送受信待ち状態にある場合、非アクセス層は、端末が非アクティブ状態からアイドル状態に切り替える必要がないと確定することができ、端末に送受信待ちのＮＡＳシグナリングがない場合、非アクセス層は、端末が非アクティブ状態からアイドル状態に切り替える必要があることを確定することができる。
【００６６】
例示的に、具体的なシーンは以下のとおりであってもよい。つまり、非アクセス層に送受信待ちのシグナリングがある場合、端末とコアネットワークとがシグナリング伝送を行う必要があることを示し、この場合、非アクセス層は該端末が以後にシグナリング伝送を行う必要がある可能性があることを確定し、従って、端末は非アクティブ状態からアイドル状態に切り替える必要がなく、非アクティブ状態を維持すればよく、以後にシグナリングを伝送する必要があるとき、端末が接続状態に切り替えてもよく、非アクセス層に送受信待ちのシグナリングがない場合、端末とネットワーク側とが現在シグナリング伝送を行う必要がないことを示し、この場合、非アクセス層は該端末が現在シグナリング伝送を行う必要がないことを確定し、従って、端末は非アクティブ状態からアイドル状態に切り替えることができ、それによって端末とネットワーク側との接続を切断し、端末のエネルギー消費量を減少させる。
【００６７】
実際の応用では、更に他の方式で端末が非アクティブ状態からアイドル状態に切り替える必要があることを確定してもよく、本発明の実施例は限定しない。
【００６８】
ステップ２０２において、端末が第１基地局へコンテキスト解放要求を送信する。
【００６９】
該コンテキスト解放要求は端末の関連コンテキストの解放を行うようにネットワーク側に指示することに用いられる。好ましくは、端末はアクセス層によって第１基地局へコンテキスト解放要求を送信することができる。
【００７０】
実際の応用では、端末は第１基地局とＲＲＣ接続を確立してから情報の交換を行うことができる。端末が第１基地局とＲＲＣ接続を確立する過程は図２−２を参照してもよく、以下のステップを含む。
【００７１】
ステップ２０２１において、端末が第１基地局へＲＲＣ接続確立要求（ＲＲＣ  Ｃｏｎｎｅｃｔｉｏｎ  Ｒｅｓｕｍｅ  Ｒｅｑｕｅｓｔ）を送信する。
【００７２】
好ましくは、端末は予め受信されたページングメッセージに基づいて第１基地局へＲＲＣ接続確立要求を送信することができる。
【００７３】
ステップ２０２２において、第１基地局が端末へＲＲＣ接続確立応答（ＲＲＣ  Ｃｏｎｎｅｃｔｉｏｎ  Ｒｅｓｕｍｅ）を送信する。
【００７４】
ステップ２０２３において、端末が第１基地局へＲＲＣ確立完了メッセージ（ＲＲＣ  Ｃｏｎｎｅｃｔｉｏｎ  Ｒｅｓｕｍｅ  Ｃｏｍｐｌｅｔｅ）を送信する。
【００７５】
上記ステップ２０２１〜２０２３の具体的な過程は３ＧＰＰ３６．３３１というＬＴＥ  ＲＲＣプロトコルを参照してもよく、本発明の実施例では詳細な説明は省略する。
【００７６】
ただし、端末と第１基地局とがＲＲＣ接続の確立を完了した後、切り替え失敗、無線リンク失敗、整合性保護失敗又はＲＲＣ再構成失敗等の状況がある場合、端末がＲＲＣ接続再確立過程をトリガーする。該過程はＲＲＣ接続の再確立を目的とし、シグナリング無線ベアラ１（ＳＲＢ１：ｓｉｇｎａｌｌｉｎｇ  ｒａｄｉｏ  ｂｅａｒｅｒｓ１）操作の回復及びセキュリティの再アクティブ等を含んでもよい。例示的に、端末は第１基地局へＲＲＣ接続復元要求を送信することができ、第１基地局は該ＲＲＣ接続復元要求を受信した後、該ＲＲＣ接続復元要求に応じて、該端末へＲＲＣ接続再確立応答を送信することができ、端末は該ＲＲＣ接続再確立応答を受信した後、該ＲＲＣ接続再確立応答に応じて対応する構成を行うことができ、構成が完了した後、第１基地局にＲＲＣ接続の再確立過程を完了したことを通知するよう、第１基地局へＲＲＣ接続復元完了要求を送信する。
【００７７】
好ましくは、本発明の実施例におけるコンテキスト解放要求は新しいシグナリングであってもよいし、従来のシグナリングを多重化してもよく、該コンテキスト解放要求が従来のシグナリングを多重化する場合、一態様では、図２−２に示すように、コンテキスト解放要求はＲＲＣ接続確立中のシグナリングと多重化してもよく、例えば、該コンテキスト解放要求は解放指示（ｒｅｌｅａｓｅ  ｉｎｄｉｃａｔｉｏｎ）を持つＲＲＣ接続確立要求であってもよく、又は、コンテキスト解放要求は解放指示を含むＲＲＣ接続確立完了メッセージであり、他の態様では、コンテキスト解放要求はＲＲＣ接続再確立中のシグナリングと多重化してもよく、例えば、該コンテキスト解放要求は解放指示を含むＲＲＣ接続復元要求であってもよく、又は、該コンテキスト解放要求は解放指示を含むＲＲＣ接続復元完了要求である。
【００７８】
該解放指示は端末の関連コンテキストの解放を行うようにネットワーク側に指示することに用いられる。該解放指示の形式は従来のＲＲＣプロトコルに合致してもよく、該解放指示を含むメッセージは端末によるネットワーク側の関連コンテキストの解放のトリガーを実現することに用いられてもよい。
【００７９】
ステップ２０３において、第１基地局がコンテキスト解放要求に応じて、コア管理機器へコンテキスト解放許可要求を送信する。
【００８０】
本発明の実施例では、第１基地局はコア管理機器がネットワーク側機器のコンテキストの解放を許可するように要求するよう、コア管理機器へコンテキスト解放許可要求を送信することができる。好ましくは、該コンテキスト解放許可要求は更に上記解放指示を持ってもよい。
【００８１】
ステップ２０４において、コア管理機器がコンテキスト解放許可要求に応じて、コンテキスト解放許可応答を生成する。
【００８２】
コア管理機器はコンテキスト解放許可要求に応じて、ネットワーク側機器による関連コンテキストの解放を許容するかどうかを判断することができる。例示的に、コア管理機器はプリセットの時間帯内に端末にデータ伝送が発生するかどうかを予測することができ、該プリセットの時間帯内に端末にデータ伝送が発生したと予測する場合、ネットワーク側機器による関連コンテキストの解放を許容せず、このように、端末とネットワーク側との接続が切断してから接続を再確立することによるネットワークリソースの無駄遣いを避けることができ、該プリセットの時間帯内に端末にデータ伝送が発生しないと予測する場合、ネットワーク側機器による関連コンテキストの解放を許容し、このように、ネットワーク側機器の負荷を減少させることができる。
【００８３】
例えば、コア管理機器がコンテキスト解放許可要求を受信する時にカウントダウンし、該カウントダウン時間が上記プリセットの時間帯の時間に等しく、コアネットワークはカウントダウンが終了する前に端末に対するデータ伝送要求を受信する場合、該プリセットの時間帯内に端末にデータ伝送が発生したと予測する。
【００８４】
本発明の実施例では、コア管理機器はコンテキスト解放許可要求に応じて、ネットワーク側機器による関連コンテキストの解放を許容すると確定すると仮定する場合、コア管理機器はコンテキスト解放許可応答を生成することができる。該コンテキスト解放許可応答はネットワーク側機器による関連コンテキストの解放を許容することを指示することに用いられる。
【００８５】
ステップ２０５において、コア管理機器が第１基地局へコンテキスト解放許可応答を送信する。
【００８６】
コア管理機器と第１基地局とがデータ伝送する過程は関連プロトコルを参照してもよく、本発明の実施例は限定しない。
【００８７】
ステップ２０６において、第１基地局がコンテキスト解放許可応答に応じて、ネットワーク側機器へコンテキスト解放指示情報を送信する。
【００８８】
コア管理機器がネットワーク側機器によるコンテキストの解放を許容するため、第１基地局はコンテキストに応じて許可応答を解放することができ、該コンテキスト解放指示情報は関連コンテキストの解放を行うようにネットワーク側機器に指示することに用いられる。ネットワーク側機器の関連コンテキストの解放をトリガーするように、第１基地局がネットワーク側機器へコンテキスト解放指示情報を送信する。
【００８９】
ステップ２０７において、ネットワーク側機器がコンテキスト解放指示情報に基づいて関連コンテキストの解放を行う。
【００９０】
関連コンテキストの解放過程は本質的にネットワーク側機器が関連コンテキストを削除する過程であり、具体的に関連プロトコルにおける内容を参照してもよく、本発明の実施例では詳細な説明は省略する。
【００９１】
ステップ２０８において、ネットワーク側機器が第１基地局へコンテキスト解放完了情報を送信する。
【００９２】
ネットワーク側機器は関連コンテキストの解放を完了した後、第１基地局に通知するよう、第１基地局へコンテキスト解放完了情報を送信することができる。該コンテキスト解放完了情報はネットワーク側機器が関連コンテキストの解放を完了したことを示すことに用いられる。
【００９３】
ステップ２０９において、第１基地局がコンテキスト解放完了情報に基づいて端末へコンテキスト解放応答を送信する。
【００９４】
第１基地局はコンテキスト解放完了情報を受信した後、ネットワーク側機器が関連コンテキストの解放を完了したことを端末に通知するよう、端末へコンテキスト解放応答を送信することができ、コンテキスト解放完了情報とコンテキスト解放応答における内容とが同じであってもよいし、異なってもよい。
【００９５】
ステップ２１０において、端末がコンテキスト解放応答に応じて端末内の関連コンテキストを解放する。
【００９６】
本発明の実施例では、自体の負荷を減少させるよう、端末はコンテキスト解放応答に応じて、自体の関連コンテキストを解放することができるが、実際の応用では、端末は自体の関連コンテキストの解放を行わなくてもよく、本発明の実施例は限定しない。
【００９７】
ただし、上記実施例に係るコンテキスト解放方法は、ステップの前後順序を適宜調整してもよく、状況に応じて、ステップに対し対応する増減を行ってもよく、当業者が本発明に開示される技術的範囲内に容易に想到し得る方法は、いずれも本発明の保護範囲内に含まれるべきであり、従って、詳細な説明は省略する。
【００９８】
第２態様として、ネットワーク側機器はコア管理機器によってネットワーク側機器を間接的にトリガーして関連コンテキストを解放させてもよく、図３−１に示すように、具体的に以下のステップを含む。
【００９９】
ステップ３０１において、端末は、端末が非アクティブ状態からアイドル状態に切り替える必要があることを確定する。
【０１００】
ステップ３０１の具体的な過程はステップ２０１を参照してもよく、本発明の実施例では詳細な説明は省略する。
【０１０１】
ステップ３０２において、端末が第１基地局へコンテキスト解放要求を送信する。
【０１０２】
上記コンテキスト解放要求は端末の関連コンテキストの解放を行うようにネットワーク側に指示することに用いられる。ステップ３０２における他の内容はステップ２０２を参照してもよく、本発明の実施例では詳細な説明は省略する。
【０１０３】
ステップ３０３において、第１基地局がコンテキスト解放要求に応じてコア管理機器へコンテキスト解放許可要求を送信する。
【０１０４】
上記コンテキスト解放許可要求はネットワーク側機器が関連コンテキストの解放を行うことを許可するように要求することに用いられる。ステップ３０３における他の内容はステップ２０３を参照してもよく、本発明の実施例では詳細な説明は省略する。
【０１０５】
ステップ３０４において、コア管理機器がコンテキスト解放許可要求に応じて、関連コンテキストの保存されるネットワーク側機器の関連コンテキストの解放をトリガーする。
【０１０６】
好ましくは、図３−２に示すように、コア管理機器がコンテキスト解放許可要求に応じて、関連コンテキストの保存されるネットワーク側機器の関連コンテキストの解放をトリガーする過程は以下のステップを含んでもよい。
【０１０７】
ステップ３０４１において、コア管理機器はコンテキスト解放許可要求に応じて、関連コンテキストの解放を行うようにネットワーク側機器に指示するためのコンテキスト解放指示情報をネットワーク側機器に送信する。
【０１０８】
コア管理機器はコンテキスト解放許可要求に応じて、ネットワーク側機器による関連コンテキストの解放を許容するかどうかを判断することができる。例示的に、コア管理機器はプリセットの時間帯内に端末にデータ伝送が発生するかどうかを予測することができ、該プリセットの時間帯内に端末にデータ伝送が発生したと予測する場合、ネットワーク側機器による関連コンテキストの解放を許容せず、このように、端末とネットワーク側との接続が切断してから接続を再確立することによるネットワークリソースの無駄遣いを避けることができ、該プリセットの時間帯内に端末にデータ伝送が発生していないと予測する場合、ネットワーク側機器による関連コンテキストの解放を許容し、このように、ネットワーク側機器の負荷を減少させることができる。
【０１０９】
例えば、コア管理機器がコンテキスト解放許可要求を受信する時にカウントダウンし、該カウントダウン時間が上記プリセットの時間帯の時間に等しく、コアネットワークはカウントダウンが終了する前に端末に対するデータ伝送要求を受信した場合、該プリセットの時間帯内に端末にデータ伝送が発生したと予測する。
【０１１０】
本発明の実施例では、コア管理機器がコンテキスト解放許可要求に応じて、ネットワーク側機器による関連コンテキストの解放を許容すると確定すると仮定する場合、ネットワーク側機器の関連コンテキストの解放をトリガーするよう、コア管理機器はネットワーク側機器へコンテキスト解放指示情報を送信することができる。
【０１１１】
ステップ３０４２において、ネットワーク側機器がコンテキスト解放指示情報に基づいて関連コンテキストの解放を行う。
【０１１２】
ステップ３０４２は上記ステップ２０７を参照してもよく、本発明の実施例では詳細な説明は省略する。
【０１１３】
ステップ３０５において、コア管理機器が第１基地局へコンテキスト解放完了情報を送信する。
【０１１４】
上記コンテキスト解放完了情報はネットワーク側機器が関連コンテキストの解放を完了したことを示すことに用いられる。
【０１１５】
好ましくは、図３−３に示すように、コア管理機器が第１基地局へコンテキスト解放完了情報を送信する過程は以下のステップを含んでもよい。
【０１１６】
ステップ３０５１において、ネットワーク側機器はネットワーク側機器が関連コンテキストの解放を完了したことを示すためのコンテキスト解放完了情報をコア管理機器に送信する。
【０１１７】
ネットワーク側機器は関連コンテキストの解放を完了した後、コア管理機器に通知するよう、コア管理機器へコンテキスト解放完了情報を送信することができる。
【０１１８】
ステップ３０５２において、コア管理機器がコンテキスト解放完了情報に基づいて第１基地局へコンテキスト解放完了情報を送信する。
【０１１９】
コア管理機器はコンテキスト解放完了情報を受信した後、ネットワーク側機器が関連コンテキストの解放を完了したことを第１基地局に通知するよう、第１基地局へコンテキスト解放完了情報を送信することができる。
【０１２０】
ただし、ネットワーク側機器から送信されたコンテキスト解放完了情報とコア管理機器から送信されたコンテキスト解放完了情報とが同じであってもよいし、異なってもよい。
【０１２１】
ステップ３０６において、第１基地局がコンテキスト解放完了情報に基づいて端末へコンテキスト解放応答を送信する。
【０１２２】
ステップ３０６は上記ステップ２０９を参照してもよく、本発明の実施例では詳細な説明は省略する。
【０１２３】
ステップ３０７において、端末がコンテキスト解放応答に応じて、端末内の関連コンテキストを解放する。
【０１２４】
ステップ３０７は上記ステップ２１０を参照してもよく、本発明の実施例では詳細な説明は省略する。
【０１２５】
ただし、上記実施例に係るコンテキスト解放方法は、ステップの前後順序を適宜調整してもよく、状況に応じて、ステップに対し対応する増減を行ってもよく、当業者が本発明に開示される技術的範囲内に容易に想到し得る方法は、いずれも本発明の保護範囲内に含まれるべきであり、従って、詳細な説明は省略する。
【０１２６】
第３態様として、第１基地局はネットワーク側機器を直接トリガーして関連コンテキストを解放させることができ、図４に示すように、具体的に以下のステップを含む。
【０１２７】
ステップ４０１において、端末は、端末が非アクティブ状態からアイドル状態に切り替える必要があることを確定する。
【０１２８】
ステップ４０１の具体的な過程はステップ２０１を参照してもよく、本発明の実施例では詳細な説明は省略する。
【０１２９】
ステップ４０２において、端末が第１基地局へコンテキスト解放要求を送信する。
【０１３０】
上記コンテキスト解放要求は端末の関連コンテキストの解放を行うようにネットワーク側に指示することに用いられる。ステップ４０２における他の内容はステップ２０２を参照してもよく、本発明の実施例では詳細な説明は省略する。
【０１３１】
ステップ４０３において、第１基地局がコンテキスト解放要求に応じて、ネットワーク側機器へコンテキスト解放指示情報を送信する。
【０１３２】
ネットワーク側機器の関連コンテキストの解放をトリガーするように、第１基地局はコンテキスト解放要求に応じて、ネットワーク側機器へコンテキスト解放指示情報を送信することができる。該コンテキスト解放指示情報は関連コンテキストの解放を行うようにネットワーク側機器に指示することに用いられる。
【０１３３】
ステップ４０４において、ネットワーク側機器がコンテキスト解放指示情報に基づいて関連コンテキストの解放を行う。
【０１３４】
ステップ４０４はステップ２０７を参照してもよく、本発明の実施例では詳細な説明は省略する。
【０１３５】
ステップ４０５において、ネットワーク側機器が第１基地局へコンテキスト解放完了情報を送信する。
【０１３６】
該コンテキスト解放完了情報はネットワーク側機器が関連コンテキストの解放を完了したことを示すことに用いられる。ステップ４０５における他の内容は上記ステップ２０８を参照してもよく、本発明の実施例では詳細な説明は省略する。
【０１３７】
ステップ４０６において、第１基地局がコンテキスト解放完了情報に基づいて端末へコンテキスト解放応答を送信する。
【０１３８】
ステップ４０６は上記ステップ２０９を参照してもよく、本発明の実施例では詳細な説明は省略する。
【０１３９】
ステップ４０７において、端末がコンテキスト解放応答に応じて、端末内の関連コンテキストを解放する。
【０１４０】
ステップ４０７は上記ステップ２１０を参照してもよく、本発明の実施例では詳細な説明は省略する。
【０１４１】
ただし、上記実施例に係るコンテキスト解放方法は、ステップの前後順序を適宜調整してもよく、状況に応じて、ステップに対し対応する増減を行ってもよく、当業者が本発明に開示される技術的範囲内に容易に想到し得る方法は、いずれも本発明の保護範囲内に含まれるべきであり、従って、詳細な説明は省略する。
【０１４２】
関連技術において、更にネットワーク側から送信されたページングメッセージに解放指示を直接追加することにより、端末に関連コンテキストを直接解放させて、アイドル状態に入らせることを提案する。そして、本発明の実施例において端末がネットワーク側の関連コンテキスト解放をトリガーする新しい方式を提案し、関連コンテキストの解放の柔軟性を向上させる。
【０１４３】
要するに、本発明の実施例に係るコンテキスト解放方法は、端末によりネットワーク側が関連コンテキストを解放するようにトリガーすることにより、コンテキスト解放過程、特に非アクティブ状態におけるコンテキスト解放過程において、接続状態に切り替えてからアイドル状態に切り替える必要がなく、端末とネットワーク側とのシグナリング交換を効果的に減少させ、シグナリングオーバーヘッドを減少させ、全体的なプロセスを簡素化する。
【０１４４】
本発明の実施例に係るコンテキスト解放機器５０は、図５−１に示すように、
前記端末の関連コンテキストの解放を行うようにネットワーク側に指示するためのコンテキスト解放要求を第１基地局に送信するための送信モジュール５０１を備える。
【０１４５】
要するに、本発明の実施例に係るコンテキスト解放機器は、送信モジュールがネットワーク側の関連コンテキストの解放をトリガーすることにより、コンテキスト解放過程、特に非アクティブ状態におけるコンテキスト解放過程において、接続状態に切り替えてからアイドル状態に切り替える必要がなく、端末とネットワーク側とのシグナリング交換を効果的に減少させ、シグナリングオーバーヘッドを減少させ、全体的なプロセスを簡素化する。
【０１４６】
更に、図５−２に示すように、前記機器５０は、更に、
前記第１基地局から送信されたコンテキスト解放応答を受信するための受信モジュール５０２を備える。
【０１４７】
好ましくは、図５−３に示すように、前記機器５０は、更に、
アプリケーション層又は非アクセス層によって前記端末が非アクティブ状態からアイドル状態に切り替える必要があることを確定するための確定モジュール５０３を備える。
【０１４８】
前記送信モジュール５０１は、具体的に、
アクセス層によって第１基地局へ前記コンテキスト解放要求を送信することに用いられる。
【０１４９】
好ましくは、前記コンテキスト解放要求は、解放指示を含む無線リソース制御（ＲＲＣ）接続確立要求であり、又は、前記コンテキスト解放要求は、解放指示を含むＲＲＣ接続復元要求であり、又は、前記コンテキスト解放要求は、解放指示を含むＲＲＣ接続確立完了メッセージであり、又は、前記コンテキスト解放要求は、解放指示を含むＲＲＣ接続復元完了要求であり、
前記解放指示は前記端末の関連コンテキストの解放を行うようにネットワーク側に指示することに用いられる。
【０１５０】
要するに、本発明の実施例に係るコンテキスト解放機器は、送信モジュールによってネットワーク側の関連コンテキストの解放をトリガーし、コンテキスト解放過程、特に非アクティブ状態におけるコンテキスト解放過程において、接続状態に切り替えてからアイドル状態に切り替える必要がなく、端末とネットワーク側とのシグナリング交換を効果的に減少させ、シグナリングオーバーヘッドを減少させ、全体的なプロセスを簡素化する。
【０１５１】
本発明の実施例に係るコンテキスト解放機器６０は、図６−１に示すように、
端末から送信された、前記端末の関連コンテキストの解放を行うようにネットワーク側に指示するためのコンテキスト解放要求を受信するための受信モジュール６０１を備える。
【０１５２】
要するに、本発明の実施例に係るコンテキスト解放機器は、端末によりネットワーク側が関連コンテキストを解放するようにトリガーすることにより、コンテキスト解放過程、特に非アクティブ状態におけるコンテキスト解放過程において、接続状態に切り替えてからアイドル状態に切り替える必要がなく、端末とネットワーク側とのシグナリング交換を効果的に減少させ、シグナリングオーバーヘッドを減少させ、全体的なプロセスを簡素化する。
【０１５３】
更に、図６−２に示すように、前記機器６０は、更に、
前記コンテキスト解放要求に応じて前記関連コンテキストの保存されるネットワーク側機器が前記関連コンテキストを解放するようにトリガーするためのトリガーモジュール６０２と、
前記端末が前記関連コンテキストを解放するようにトリガーするためのコンテキスト解放応答を前記端末に送信するための送信モジュール６０３と、を備える。
【０１５４】
一態様では、トリガーモジュール６０２は、具体的に、
前記コンテキスト解放要求に応じて、前記関連コンテキストの解放を行うように前記ネットワーク側機器に指示するためのコンテキスト解放指示情報を前記ネットワーク側機器に送信することに用いられ、
送信モジュール６０３は、具体的に、
前記ネットワーク側機器から送信された、前記ネットワーク側機器が前記関連コンテキストの解放を完了したことを示すためのコンテキスト解放完了情報を受信し、
前記コンテキスト解放完了情報に基づいて前記端末へコンテキスト解放応答を送信することに用いられる。
【０１５５】
他の態様では、トリガーモジュール６０２は、具体的に、
前記コンテキスト解放要求に応じて、前記ネットワーク側機器が前記関連コンテキストの解放を行う許可を要求するためのコンテキスト解放許可要求をコア管理機器に送信することに用いられ、
送信モジュール６０３は、具体的に、
前記コア管理機器から送信された、前記ネットワーク側機器が前記関連コンテキストを解放するようにトリガーした後に前記コア管理機器が送信したコンテキスト解放完了情報であって、前記ネットワーク側機器が前記関連コンテキストの解放を完了したことを示すためのコンテキスト解放完了情報を受信し、
前記コンテキスト解放完了情報に基づいて前記端末へコンテキスト解放応答を送信することに用いられる。
【０１５６】
別の態様では、トリガーモジュール６０２は、具体的に、
前記コンテキスト解放要求に応じて、前記ネットワーク側機器が前記関連コンテキストの解放を行う許可を要求するためのコンテキスト解放許可要求をコア管理機器に送信し、
前記コア管理機器から送信された、前記ネットワーク側機器が前記関連コンテキストの解放を行うことを許容することを示すためのコンテキスト解放許可応答を受信し、
前記コンテキスト解放許可応答に応じて、前記関連コンテキストの解放を行うように前記ネットワーク側機器に指示するためのコンテキスト解放指示情報を前記ネットワーク側機器に送信することに用いられ、
送信モジュール６０３は、具体的に、
前記ネットワーク側機器から送信された、前記ネットワーク側機器が前記関連コンテキストの解放を完了したことを示すためのコンテキスト解放完了情報を受信し、
前記コンテキスト解放完了情報に基づいて前記端末へコンテキスト解放応答を送信することに用いられる。
【０１５７】
好ましくは、前記コンテキスト解放要求は、解放指示を含む無線リソース制御（ＲＲＣ）接続確立要求であり、又は、前記コンテキスト解放要求は、解放指示を含むＲＲＣ接続復元要求であり、又は、前記コンテキスト解放要求は、解放指示を含むＲＲＣ接続確立完了メッセージであり、又は、前記コンテキスト解放要求は、解放指示を含むＲＲＣ接続復元完了要求であり、
前記解放指示は前記端末の関連コンテキストの解放を行うようにネットワーク側に指示することに用いられる。
【０１５８】
好ましくは、前記コンテキスト解放要求は、前記第１基地局にアクセスする端末が、前記端末が非アクティブ状態からアイドル状態に切り替える必要があることを確定した後に送信される。
【０１５９】
好ましくは、前記ネットワーク側機器は初期基地局、及び／又は、コアネットワークの管理機器、及び／又は、ネットワーク側中央制御ノードを備え、
前記初期基地局は前記端末が非アクティブ状態に切り替える前に所在するセルに属する基地局である。
【０１６０】
本発明の実施例に係るコンテキスト解放機器７０は、図７−１に示すように、
第１基地局から送信された、前記第１基地局が端末から送信されたコンテキスト解放要求を受信した後に送信したコンテキスト解放許可要求であって、前記端末の関連コンテキストの解放を行うようにネットワーク側に指示するためのコンテキスト解放許可要求を受信するための受信モジュール７０１を備える。
【０１６１】
要するに、本発明の実施例に係るコンテキスト解放機器は、端末によりネットワーク側が関連コンテキストを解放するようにトリガーすることにより、コンテキスト解放過程、特に非アクティブ状態におけるコンテキスト解放過程において、接続状態に切り替えてからアイドル状態に切り替える必要がなく、端末とネットワーク側とのシグナリング交換を効果的に減少させ、シグナリングオーバーヘッドを減少させ、全体的なプロセスを簡素化する。
【０１６２】
一態様では、図７−２に示すように、前記機器は、更に、
前記コンテキスト解放許可要求に応じて、前記関連コンテキストの保存されるネットワーク側機器が前記関連コンテキストを解放するようにトリガーするためのトリガーモジュール７０２と、
前記ネットワーク側機器が前記関連コンテキストを解放した後、前記ネットワーク側機器が前記関連コンテキストの解放を完了したことを示すためのコンテキスト解放完了情報を前記第１基地局に送信する送信モジュール７０３と、を備える。
【０１６３】
前記トリガーモジュール７０２は、具体的に、
前記コンテキスト解放許可要求に応じて、前記関連コンテキストの解放を行うように前記ネットワーク側機器に指示するためのコンテキスト解放指示情報を前記ネットワーク側機器に送信することに用いられ、
前記送信モジュール７０３は、具体的に、
前記ネットワーク側機器から送信された、前記ネットワーク側機器が前記関連コンテキストの解放を完了したことを示すためのコンテキスト解放完了情報を受信し、
前記コンテキスト解放完了情報に基づいて前記第１基地局へコンテキスト解放完了情報を送信することに用いられる。
【０１６４】
他の態様では、図７−３に示すように、前記機器７０は、更に、
前記コンテキスト解放許可要求に応じて、前記ネットワーク側機器が前記関連コンテキストの解放を行うことを許容することを示すためのコンテキスト解放許可応答を生成するための生成モジュール７０４と、
前記第１基地局へ前記コンテキスト解放許可応答を送信するための送信モジュール７０５と、を備える。
【０１６５】
好ましくは、前記コンテキスト解放要求は前記第１基地局により管理されるセル内の端末が非アクティブ状態からアイドル状態に切り替える必要があることを確定した後に送信される。
【０１６６】
好ましくは、前記ネットワーク側機器は初期基地局、及び／又は、コアネットワークの管理機器、及び／又は、ネットワーク側中央制御ノードを備え、
前記初期基地局は前記端末が非アクティブ状態に切り替える前に所在するセルに属する基地局である。
【０１６７】
本発明の実施例に係るコンテキスト解放システムは、
上記図５−１〜図５−３のいずれか１項に記載のコンテキスト解放機器を備えてもよい端末と、
図６−１〜図６−２のいずれか１項に記載のコンテキスト解放機器を備えてもよい第１基地局と、を備える。
【０１６８】
更に、該システムは更に図７−１〜図７−３のいずれか１項に記載のコンテキスト解放機器を備える。
【０１６９】
要するに、本発明の実施例に係るコンテキスト解放システムは、端末によりネットワーク側が関連コンテキストを解放するようにトリガーすることにより、コンテキスト解放過程、特に非アクティブ状態におけるコンテキスト解放過程において、接続状態に切り替えてからアイドル状態に切り替える必要がなく、端末とネットワーク側とのシグナリング交換を効果的に減少させ、シグナリングオーバーヘッドを減少させ、全体的なプロセスを簡素化する。
【０１７０】
図８には本発明の例示的な実施例に係るコンテキスト解放機器１０の構造模式図を示す。該コンテキスト解放機器１０は上記第１基地局１１０、ネットワーク側機器１２０、コア管理機器１３０又は端末１４０であってもよく、該コンテキスト解放機器１０はプロセッサ１２及びネットワークインターフェース１４を備える。
【０１７１】
プロセッサ１２は１つ又は１つ以上の処理コアを備える。プロセッサ１２はソフトウェアプログラム及びモジュールを実行することにより、様々な機能アプリケーション及びデータ処理を実行する。
【０１７２】
ネットワークインターフェース１４は複数あってもよく、該ネットワークインターフェース１４は他の記憶機器又はネットワーク機器と通信することに用いられる。
【０１７３】
好ましくは、コンテキスト解放機器１０は更にメモリ１６、バス１８等の部材を備えてもよい。メモリ１６とネットワークインターフェース１４とがそれぞれバス１８を介してプロセッサ１２に接続される。
【０１７４】
メモリ１６はソフトウェアプログラム及びモジュールを記憶することに用いられてもよい。具体的に、メモリ１６はオペレーティングシステム１６２、少なくとも１つの機能に必要なアプリケーションプログラムモジュール１６４を記憶することができる。オペレーティングシステム１６２はリアルタイムオペレーティングシステム（ＲＴＸ：Ｒｅａｌ  Ｔｉｍｅ  ｅＸｅｃｕｔｉｖｅ）、ＬＩＮＵＸ、ＵＮＩＸ、ＷＩＮＤＯＷＳ又はＯＳ  Ｘのようなオペレーティングシステムであってもよい。
【０１７５】
いくつかの実施形態において、コンテキスト解放機器１０が第１基地局である場合、ネットワークインターフェース１４が送受信アンテナ（送信機及び受信機として見なされてもよい）であってもよく、メモリ１６に記憶されるアプリケーションプログラムモジュール１６４は上記ステップ２０３、ステップ２０６、ステップ２０９、ステップ３０３、ステップ３０６、ステップ４０３又はステップ４０６等のステップを実行することができ、
コンテキスト解放機器１０が端末である場合、ネットワークインターフェース１４が送受信アンテナ（送信機及び受信機として見なされてもよい）であってもよく、メモリ１６に記憶されるアプリケーションプログラムモジュール１６４は上記ステップ２０１、ステップ２０２、ステップ２１０、ステップ３０１、ステップ３０２、ステップ３０７、ステップ４０１、ステップ４０２又はステップ４０７等のステップを実行することができ、
コンテキスト解放機器１０がコア管理機器である場合、メモリ１６に記憶されるアプリケーションプログラムモジュール１６４は上記ステップ２０４、ステップ２０２、ステップ２１０、ステップ３０４、ステップ３０５等のステップを実行することができる。
【０１７６】
当業者であれば、説明を容易且つ簡潔にするために、上記説明されるシステム、機器及びモジュールの具体的な動作過程は、上記方法実施例における対応過程を参照してもよく、ここで詳細な説明は省略すると明確に理解される。
【０１７７】
本発明の実施例における用語「及び／又は」は、関連オブジェクトを説明する関連関係に過ぎず、３つの関係が存在してもよいことを示し、例えば、「Ａ及び／又はＢ」は「Ａが独立して存在する」「ＡとＢが同時に存在する」「Ｂが独立して存在する」の３つの状況を示してもよい。また、本明細書における文字「／」は一般的に前後関連オブジェクトが「又は」関係であることを示す。
【０１７８】
当業者であれば、上記実施例を実現するステップのすべて又は一部はハードウェアによって完了してもよいし、プログラムによって関連するハードウェアを命令して完了させてもよく、前記プログラムがコンピュータ可読記憶媒体に記憶されてもよく、上記言及された記憶媒体は読み出し専用メモリ、磁気ディスク又は光ディスク等であってもよいと理解される。
【０１７９】
以上の説明は本発明の好適な実施例に過ぎず、本発明を限定するためのものではなく、本発明の趣旨及び原則を逸脱せずに行ったいかなる修正、等価置換、改良等は、いずれも本発明の保護範囲内に含まれるべきである。
【手続補正２】
【補正対象書類名】特許請求の範囲
【補正対象項目名】全文
【補正方法】変更
【補正の内容】
【特許請求の範囲】
【請求項１】
コンテキスト解放方法であって、
端末は、前記端末の関連コンテキストの解放を行うようにネットワーク側に指示するためのコンテキスト解放要求を第１基地局に送信することを含むことを特徴とする、前記コンテキスト解放方法。
【請求項２】
前記端末が第１基地局へコンテキスト解放要求を送信した後、前記方法は、更に、
前記端末は、前記第１基地局から送信されたコンテキスト解放応答を受信することを含むことを特徴とする
請求項１に記載の方法。
【請求項３】
前記端末が第１基地局へコンテキスト解放要求を送信する前に、前記方法は、更に、
前記端末のアプリケーション層又は非アクセス層は、前記端末が非アクティブ状態からアイドル状態に切り替える必要があることを確定することを含むことを特徴とする
請求項１に記載の方法。
【請求項４】
コンテキスト解放機器であって、
前記端末の関連コンテキストの解放を行うようにネットワーク側に指示するためのコンテキスト解放要求を第１基地局に送信するための送信モジュールを備えることを特徴とする、前記コンテキスト解放機器。
【請求項５】
前記機器は、更に、
前記第１基地局から送信されたコンテキスト解放応答を受信するための受信モジュールを備えることを特徴とする
請求項４に記載の機器。
【請求項６】
前記機器は、更に、
アプリケーション層又は非アクセス層によって前記端末が非アクティブ状態からアイドル状態に切り替える必要があることを確定するための確定モジュールを備えることを特徴とする
請求項４に記載の機器。
【請求項７】
前記送信モジュールは、具体的に、
アクセス層によって第１基地局へ前記コンテキスト解放要求を送信することに用いられることを特徴とする
請求項４に記載の機器。
【請求項８】
前記コンテキスト解放要求は、解放指示を含む無線リソース制御（ＲＲＣ）接続確立要求であり、又は、前記コンテキスト解放要求は、解放指示を含むＲＲＣ接続復元要求であり、又は、前記コンテキスト解放要求は、解放指示を含むＲＲＣ接続確立完了メッセージであり、又は、前記コンテキスト解放要求は、解放指示を含むＲＲＣ接続復元完了要求であり、
前記解放指示は、前記端末の関連コンテキストの解放を行うようにネットワーク側に指示することに用いられることを特徴とする
請求項４〜７のいずれか１項に記載の機器。
【請求項９】
コンテキスト解放機器であって、
端末から送信された、前記端末の関連コンテキストの解放を行うようにネットワーク側に指示するためのコンテキスト解放要求を受信するための受信モジュールを備えることを特徴とする、前記コンテキスト解放機器。
【請求項１０】
前記機器は、更に、
前記コンテキスト解放要求に応じて前記関連コンテキストの保存されるネットワーク側機器が前記関連コンテキストを解放するようにトリガーするためのトリガーモジュールと、
前記端末が前記関連コンテキストを解放するようにトリガーするためのコンテキスト解放応答を前記端末に送信するための送信モジュールと、を備えることを特徴とする
請求項９に記載の機器。
【請求項１１】
トリガーモジュールは、具体的に、
前記コンテキスト解放要求に応じて、前記関連コンテキストの解放を行うように前記ネットワーク側機器に指示するためのコンテキスト解放指示情報を前記ネットワーク側機器に送信することに用いられ、
送信モジュールは、具体的に、
前記ネットワーク側機器から送信された、前記ネットワーク側機器が前記関連コンテキストの解放を完了したことを示すためのコンテキスト解放完了情報を受信し、
前記コンテキスト解放完了情報に基づいて前記端末へコンテキスト解放応答を送信することに用いられることを特徴とする
請求項１０に記載の機器。
【請求項１２】
トリガーモジュールは、具体的に、
前記コンテキスト解放要求に応じて、前記ネットワーク側機器が前記関連コンテキストの解放を行う許可を要求するためのコンテキスト解放許可要求をコア管理機器に送信することに用いられ、
送信モジュールは、具体的に、
前記コア管理機器から送信された、前記ネットワーク側機器が前記関連コンテキストを解放するようにトリガーした後に前記コア管理機器が送信したコンテキスト解放完了情報であって、前記ネットワーク側機器が前記関連コンテキストの解放を完了したことを示すためのコンテキスト解放完了情報を受信し、
前記コンテキスト解放完了情報に基づいて前記端末へコンテキスト解放応答を送信することに用いられることを特徴とする
請求項１０に記載の機器。
【請求項１３】
トリガーモジュールは、具体的に、
前記コンテキスト解放要求に応じて、前記ネットワーク側機器が前記関連コンテキストの解放を行う許可を要求するためのコンテキスト解放許可要求をコア管理機器に送信し、
前記コア管理機器から送信された、前記ネットワーク側機器が前記関連コンテキストの解放を行うことを許容することを示すためのコンテキスト解放許可応答を受信し、
前記コンテキスト解放許可応答に応じて、前記関連コンテキストの解放を行うように前記ネットワーク側機器に指示するためのコンテキスト解放指示情報を前記ネットワーク側機器に送信することに用いられ、
送信モジュールは、具体的に、
前記ネットワーク側機器から送信された、前記ネットワーク側機器が前記関連コンテキストの解放を完了したことを示すためのコンテキスト解放完了情報を受信し、
前記コンテキスト解放完了情報に基づいて前記端末へコンテキスト解放応答を送信することに用いられることを特徴とする
請求項１０に記載の機器。
【請求項１４】
前記コンテキスト解放要求は、前記第１基地局にアクセスする端末が、前記端末が非アクティブ状態からアイドル状態に切り替える必要があることを確定した後に送信されることを特徴とする
請求項９〜１３のいずれか１項に記載の機器。
【請求項１５】
前記ネットワーク側機器は初期基地局、及び／又は、コアネットワークの管理機器、及び／又は、ネットワーク側中央制御ノードを備え、
前記初期基地局は前記端末が非アクティブ状態に切り替える前に所在するセルに属する基地局であることを特徴とする
請求項１０〜１３のいずれか１項に記載の機器。
【国際調査報告】
2020504956.tif 000019
2020504956.tif 000020
2020504956.tif 000021
2020504956.tif 000022